(57)【要約】  本開示は、デバイスプロファイルに基づいてネットワークに対するアクセスを提供する。ネットワークに対するアクセスを構成することが、ユーザ機器（ＵＥ）から受信された上りリンクデータをデコードすることと、デコードされた上りリンクデータから、ＵＥに対応するデバイスプロファイルにアクセスすることと、デバイスプロファイルに基づいて、ＥＰＣネットワークに対してＵＥが有するアクセスを構成することと、を含むことができる。
2018520604.tif 000002
【特許請求の範囲】
【請求項１】
進化型ノードＢ（ｅＮｏｄｅＢ）の装置であって、
ユーザ機器（ＵＥ）から受信された上りリンクデータをデコードし、
前記デコードされた上りリンクデータから、前記ＵＥに対応するデバイスプロファイルにアクセスし、
前記デバイスプロファイルに基づいて、進化型パケットコア（ＥＰＣ）ネットワークに対して前記ＵＥが有するアクセスを構成する
ように構成された電子メモリ及び１つ以上のプロセッサを含む装置。
【請求項２】
前記１つ以上のプロセッサは、前記ＵＥを構成して前記ＥＰＣネットワークに対して前記ＵＥが有する前記アクセスを構成するようにさらに構成される、請求項１に記載の装置。
【請求項３】
前記１つ以上のプロセッサは、前記ＥＰＣネットワークを構成して前記ＥＰＣネットワークに対して前記ＵＥが有する前記アクセスを構成するようにさらに構成される、請求項１に記載の装置。
【請求項４】
前記ＥＰＣネットワークに対して前記ＵＥが有する前記アクセスは、
前記ＥＰＣネットワークに対するアクセスを前記ＵＥに提供するように前記ＥＰＣネットワークにより実施されるランダムアクセス構成、
前記ＵＥのために実施されるシグナリングメカニズム、
前記ＵＥのためにサポートされる無線リソース制御（ＲＲＣ）手順及び非アクセス層（ＮＡＳ）手順、
前記ＵＥのためにサポートされる種類の接続、又は、
前記ＵＥがアクセスを有する前記ＥＰＣネットワークのスライス、
のうち少なくとも１つ以上を含む、請求項１に記載の装置。
【請求項５】
前記デバイスプロファイルは、
モビリティコンポーネント、
リーチャビリティコンポーネント、
電源コンポーネント、
グループコンポーネント、
予期バッテリ寿命コンポーネント、
時間制御コンポーネント、
モビリティ制限コンポーネント、
データアクティビティコンポーネント、
エマージェンシーコンポーネント、
セキュリティコンポーネント、
無線インターフェースコンポーネント、
専用通信コンポーネント、又は、
専用ネットワークコンポーネント、
のうち１つ以上を含む、請求項１に記載の装置。
【請求項６】
前記モビリティコンポーネントは、移動性の値、固定的の値、又は高速移動の値、のうち１つを含む、請求項５に記載の装置。
【請求項７】
前記リーチャビリティコンポーネントは、モバイル発信（ＭＯ）サービスの値、ページングをサポートせずの値、又はモバイル着信（ＭＴ）サービスの値、のうち１つを含む、請求項５に記載の装置。
【請求項８】
前記電源コンポーネントは、短期間バッテリで作動するデバイスの値、長期間バッテリで作動するデバイスの値、電源に接続されたデバイスの値、又は、時々充電されるデバイスの値、のうち１つを含む、請求項５に記載の装置。
【請求項９】
前記グループコンポーネントは、グループの一部でありスタンドアロンモードで動作しないデバイスの値、又は、スタンドアロンモードで動作することができるデバイスの値、のうち１つを含む、請求項５に記載の装置。
【請求項１０】
前記予期バッテリ寿命コンポーネントは、第１時間期間バッテリライフの値、又は第２時間期間バッテリライフの値、のうち１つを含む、請求項５、６、７、８、又は９に記載の装置。
【請求項１１】
前記時間制御コンポーネントは、制限送信の値、又は非制限送信の値、のうち１つを含む、請求項５、６、７、８、又は９に記載の装置。
【請求項１２】
前記モビリティ制限コンポーネントは、エリアの値、経路の値、又はロケーションの値、のうち１つを含む、請求項５、６、７、８、又は９に記載の装置。
【請求項１３】
前記データアクティビティコンポーネントは、周期的データバーストの値、又は非周期的データバーストの値、のうち１つを含む、請求項５、６、７、８、又は９に記載の装置。
【請求項１４】
前記エマージェンシーコンポーネントは、高優先順位の値、又は低優先順位の値、のうち１つを含む、請求項５、６、７、８、又は９に記載の装置。
【請求項１５】
前記セキュリティコンポーネントは、低セキュリティの値、ベースラインセキュリティの値、又は高セキュリティの値、のうち１つを含む、請求項５、６、７、８、又は９に記載の装置。
【請求項１６】
前記無線インターフェースコンポーネントは、デバイスツーデバイス（Ｄ２Ｄ）の値、デバイスツーインフラストラクチャ（Ｄ２Ｉ）の値、ＷｉＦｉの値、Ｂｌｕｅｔｏｏｔｈの値、又は車両通信の値、のうち１つを含む、請求項５、６、７、８、又は９に記載の装置。
【請求項１７】
前記専用通信コンポーネントは、予め定義されたアクセスポイントネットワーク（ＡＰＮ）の値、又は複数ＡＰＮの値、のうち１つを含む、請求項５、６、７、８、又は９に記載の装置。
【請求項１８】
前記専用ネットワークコンポーネントは、特定ネットワークの値、又は汎用ＥＰＣネットワークの値、のうち１つを含む、請求項５、６、７、８、又は９に記載の装置。
【請求項１９】
ユーザ機器（ＵＥ）の装置であって、
前記ＵＥの挙動を特徴づけるデバイスプロファイルコンポーネントを含む１つ以上のデバイスプロファイルを記憶し、
進化型ノードＢ（ｅＮｏｄｅＢ）のために、前記１つ以上のデバイスプロファイルを含む上りリンクデータを生成し、
前記ｅＮｏｄｅＢから受信された、前記１つ以上のデバイスプロファイルに基づく複数の構成を含む下りリンクデータをデコードし、
前記複数の構成に基づいて前記ＵＥを構成する
ように構成された１つ以上のベースバンドプロセッサを含む装置。
【請求項２０】
前記デバイスプロファイルコンポーネントは静的であり、前記デバイスプロファイルコンポーネントのいずれに割り当てられる値も静的である、請求項１９に記載の装置。
【請求項２１】
前記デバイスプロファイルコンポーネントは動的であり、前記デバイスプロファイルコンポーネントのいずれに割り当てられる値もある時間にわたり動的である、請求項１９に記載の装置。
【請求項２２】
前記デバイスプロファイルコンポーネントは半静的であり、前記デバイスプロファイルコンポーネントのいずれに割り当てられる値も限定される、請求項１９に記載の装置。
【請求項２３】
前記ＵＥは、所与の時間に１つのデバイスプロファイルに関連付けられる、請求項１９に記載の装置。
【請求項２４】
前記ＵＥは、所与の時間に２つ以上のデバイスプロファイルに関連付けられる、請求項１９に記載の装置。
【請求項２５】
前記１つ以上のベースバンドプロセッサは、前記１つ以上のデバイスプロファイルから、前記ＵＥの進化型パケットコア（ＥＰＣ）ネットワークとの初期登録の間に使用するためのデバイスプロファイルを選択するようにさらに構成される、請求項１９に記載の装置。
【請求項２６】
前記１つ以上のベースバンドプロセッサは、前記ＥＰＣネットワークのためのデバイスプロファイル選択を生成するようにさらに構成される、請求項２５に記載の装置。
【請求項２７】
前記ＥＰＣネットワークのためのデバイスプロファイル選択を生成するように構成された前記１つ以上のベースバンドプロセッサは、アタッチ要求メッセージ及びトラッキングエリアアップデート要求メッセージのうち少なくとも１つを介して前記デバイスプロファイル選択を生成するようにさらに構成される、請求項２６に記載の装置。
【請求項２８】
前記１つ以上のベースバンドプロセッサは、サービス要求メッセージを介してサービス確立の間に使用するための前記デバイスプロファイルを選択するようにさらに構成される、請求項１９、２０、２１、２２、２３、２４、２５、２６、又は２７に記載の装置。
【請求項２９】
前記１つ以上のベースバンドプロセッサは、前記１つ以上のデバイスプロファイルから、無線リソース制御（ＲＲＣ）接続確立の間に使用するための前記デバイスプロファイルを選択するようにさらに構成される、請求項１９、２０、２１、２２、２３、２４、２５、２６、又は２７に記載の装置。
【請求項３０】
前記１つ以上のベースバンドプロセッサは、
前記１つ以上の記憶されたデバイスプロファイルから前記デバイスプロファイルを選択し、
ＥＰＣネットワークのためのデバイスプロファイル選択を生成し、
前記ＵＥに関連付けられたＵＥ能力情報を含む、前記ＥＰＣネットワークのための上りリンクデータを生成する
ようにさらに構成される、請求項１９、２０、２１、２２、２３、２４、２５、２６、又は２７に記載の装置。
【請求項３１】
前記ＵＥ能力情報は、ＵＥ能力メッセージを介して提供される、請求項３０に記載の装置。
【請求項３２】
コンピューティングデバイスに、
複数のデバイスプロファイルを記憶することと、
前記複数のデバイスプロファイルからデバイスプロファイルを選択することと、
前記選択されたデバイスプロファイルに基づいて、進化型パケットコア（ＥＰＣ）ネットワークに対して複数のユーザ機器（ＵＥ）が有するアクセスを構成することと、
を含む動作を実行させるコンピュータプログラム。
【請求項３３】
前記ＥＰＣネットワークは、少なくとも前記選択されたデバイスプロファイルで構成されたＵＥについて、前記ＥＰＣネットワークに対するアクセスを禁止する、請求項３２に記載のコンピュータプログラム。
【請求項３４】
前記ＥＰＣネットワークは、前記選択されたデバイスプロファイルと通信タイプとで構成されたＵＥについて、前記ＥＰＣネットワークに対するアクセスを禁止する、請求項３２に記載のコンピュータプログラム。
【請求項３５】
前記ＥＰＣネットワークは、前記選択されたデバイスプロファイルで構成され、かつサービス及びアプリケーションのタイプのうち少なくとも１つをサポートするために前記ＥＰＣネットワークに対するアクセスを要求するＵＥについて、前記ＥＰＣネットワークに対するアクセスを禁止する、請求項３２に記載のコンピュータプログラム。
【請求項３６】
前記ＥＰＣネットワークは、前記選択されたデバイスプロファイルと通信タイプとで構成され、かつサービス及びアプリケーションのタイプのうち少なくとも１つをサポートするために前記ＥＰＣネットワークに対するアクセスを要求するＵＥについて、前記ＥＰＣネットワークに対するアクセスを禁止する、請求項３２に記載のコンピュータプログラム。
【請求項３７】
前記ＥＰＣネットワークは、選択されたデバイスプロファイルに少なくとも基づいて前記ＥＰＣネットワークにアクセスすることを禁止されたデバイスの少なくとも１つのタイプをブロードキャストするＲＡＮノードを含む、請求項３２、３３、３４、３５、又は３６に記載のコンピュータプログラム。
【請求項３８】
前記動作は、
前記選択されたデバイスプロファイルで構成されたＵＥを、前記ＥＰＣネットワークに対するアクセスを禁止するように構成すること
をさらに含む、請求項３２、３３、３４、３５、又は３６に記載のコンピュータプログラム。
【請求項３９】
請求項３２乃至３８のうちいずれか１項に記載のコンピュータプログラムを記憶したコンピュータ読取可能記憶媒体。
【発明の詳細な説明】
【技術分野】
【０００１】
関連出願
本出願は、2015年7月16日に申請された米国仮特許出願第62/193,477号の非仮出願であり、上記出願はその全体を本明細書において参照により援用される。
【０００２】
本開示は、第３世代パートナーシッププロジェクト（３ＧＰＰ）ネットワークに対するアクセスを構成することに関する。詳細には、本開示は、デバイスプロファイルに基づいて進化型パケットコア（ＥＰＣ）ネットワークに対するアクセスを構成することに関する。
【背景技術】
【０００３】
モバイル通信は、初期の音声システムから今日の高度に洗練され統合された通信プラットフォームへ大幅に進化している。５Ｇデバイスは、多くの種々のタイプのサービスのサポートを使用し、複数の垂直的統合（verticals）を満たすことができる。種々のモノのインターネット（ＩｏＴ）の垂直的統合は、例えば、遅延トレラントから超低レイテンシまで、及びスモールデータパケットからビデオ送信まで、多様な要件を作り出すことがある。
【０００４】
モバイル通信の次の波は、産業及び産業プロセスを結集し、自動化することである。このことは、マシンタイプ通信（ＭＴＣ）及びＩｏＴとして広く参照される。数百億のスマートデバイスが、その組み込まれた通信能力及び統合されたセンサを使用してそのローカル環境に対して作用し、インテリジェントなロジックに基づいてリモートトリガを使用することになる。これらデバイスは、能力、電力消費、及びコストに関して要件の観点で異なる。ＩｏＴデバイスは、ネットワーキングにおける広範な要件、例えば、中でも信頼性、セキュリティ、及び性能（例えば、レイテンシ及び／又はスループット）などをさらに有することになる。垂直的産業（例えば、ヘルス、自動車、ホーム、及び／又はエネルギー）のための新しいサービスの作成は、コネクティビティに限定されない可能性があるが、クラウドコンピューティング、ビッグデータ管理、セキュリティ、ロジスティクス、及び他のネットワーク対応能力からのイネイブラーを必要とする可能性がある。
【図面の簡単な説明】
【０００５】
【図１】一実施形態に従う複数のモードのブロック図である。
【図２】一実施形態に従うデバイスプロファイルコンポーネントのブロック図である。
【図３】一実施形態に従うデバイスプロファイルコンポーネントのブロック図である。
【図４】一実施形態に従うｅＮｏｄｅＢ回路、ユーザ機器（ＵＥ）回路、ネットワークノード回路、又は何らかの他タイプの回路であり得る電子デバイス回路を例示するブロック図である。
【図５】デバイスプロファイルに基づいてネットワークアクセスを構成する一方法を例示するブロック図である。
【図６】デバイスプロファイルに基づいてネットワークアクセスを構成する一方法を例示するブロック図である。
【図７】デバイスプロファイルに基づいてネットワークアクセスを構成する一方法を例示するブロック図である。
【図８】一実施形態に従うデバイスのコンポーネントを例示するブロック図である。
【図９】いくつかの実施形態に従うコンポーネントを例示するブロック図である。
【発明を実施するための形態】
【０００６】
ワイヤレスモバイル通信テクノロジーは、様々な標準及びプロトコルを使用して、基地局とワイヤレス通信デバイスとの間のデータを生成し、かつ／あるいは送信する。ワイヤレス通信システム標準及びプロトコルには、例えば、第３世代パートナーシッププロジェクト（3rd  Generation  Partnership  Project）（３ＧＰＰ（登録商標））ロングタームエボリューション（long  term  evolution）（ＬＴＥ（登録商標））、ワールドワイドインターオペラビリティフォーマイクロウェーブアクセス（worldwide  interoperability  for  microwave  access）（ＷｉＭａｘ（登録商標））として業界団体に一般に知られる電気電子技術者協会（ＩＥＥＥ）８０２．１６標準、及び、ワイヤレスローカルエリアネットワーク（ＷＬＡＮ）又はＷｉ‐Ｆｉとして業界団体に一般に知られるＩＥＥＥ８０２．１１標準を含むことができる。ＬＴＥシステムにおける３ＧＰＰ無線アクセスネットワーク（radio  access  networks）（ＲＡＮ）において、基地局には、ユーザ機器（user  equipment）（ＵＥ）として知られるワイヤレス通信デバイスと通信する進化型ユニバーサルテレストリアル無線アクセスネットワーク（Evolved  Universal  Terrestrial  Radio  Access  Network）（Ｅ‐ＵＴＲＡＮ）ノードＢ（一般に、進化型ノードＢ（evolved  Node  B）、強化型ノードＢ、ｅＮｏｄｅＢ、又はｅＮＢとしても表される）、及び／又はＥ−ＵＴＲＡＮ内の無線ネットワークコントローラ（Radio  Network  Controllers）（ＲＮＣ）を含むことができる。ＬＴＥネットワークにおいて、Ｅ−ＵＴＲＡＮは複数のｅＮｏｄｅＢを含むことができ、複数のＵＥと通信することができる。ＬＴＥネットワークは、高いデータレート、低いレイテンシ、パケット最適化、並びに向上させたシステムキャパシティ及びカバレッジを提供することができる無線アクセステクノロジー（radio  access  technology）（ＲＡＴ）とコア無線ネットワークアーキテクチャとを含む。
【０００７】
サービスに対する異なる要件を有する異なるタイプのデバイスは、動作の各モード及び／又は状態において、異なるプロファイルに適合する可能性がある。幾つかの実施形態において、デバイスプロファイルを作成するフレームワークが利用されて、例えば、５Ｇシステムにおけるネットワークに対するアクセスを構成することができる。
【０００８】
いくつかの例において、ネットワークに対するアクセスを構成することには、ユーザ機器（ＵＥ）から上りリンク（uplink）信号を受信することと、ＵＥに対応するデバイスプロファイルにアクセスすることとを含むことができる。ＥＰＣネットワークに対するアクセスが、デバイスプロファイルに基づいて構成できる。
【０００９】
次に、図面に対して参照が行われる。図面において、同様の参照番号は同様の要素を参照する。明りょうさのため、参照番号の最初の桁は、対応する要素が最初に使用される図番号を示す。下記の説明において、本明細書において開示される実施形態の詳細な理解のために、多数の特定の詳細が提供される。しかしながら、本明細書に説明される実施形態は上記特定の詳細のうち１つ以上なしに、あるいは他の方法、コンポーネント、又は材料を用いて実践できることを当業者は認識するであろう。さらに、いくつかの場合、周知の構造、材料、又は動作は、実施形態の態様を分かりにくくすることを回避するために、詳細には図示又は説明されない。さらに、説明される特徴、構造、又は特性は、１つ以上の実施形態において任意の適切な仕方で組み合わせられてもよい。
【００１０】
図１は、一実施形態に従う複数のモードのブロック図である。図１は、グローバルシステムフォーモバイルコミュニケーション（global  system  for  mobile  communication）（ＧＳＭ（登録商標））接続モード１０２、ＧＳＭアイドルモード１０４、無線リソース制御（radio  resource  control）（ＲＲＣ）アイドルモード１０６、ＲＲＣ接続モード１０８、ＬＴＥ接続モード１１８、及びＬＴＥアイドルモード１２０を含む。図１は、異なるモード間における幾つかの遷移をさらに示す。例えば、図１は、図１に示される他の遷移の中でも、ＧＳＭ接続モード１０２とＧＳＭアイドルモード１０４との間の遷移を示す。
【００１１】
３ＧＰＰシステムにおいて、デバイスは、種々の動作モード内であり得る。例えば、ＧＳＭにおいて、ＵＥは、ＧＳＭ接続モード１０２又はＧＳＭアイドルモード１０４／パケット転送モードであり得る。ユニバーサルモバイルテレコミュニケーションシステム（universal  mobile  telecommunications  system）（ＵＭＴＳ（登録商標））において、ＵＥは、ＲＲＣアイドルモード１０６又はＲＲＣ接続モード１０８であり得る。さらに、ＲＲＣ接続モード１０８である間、ＵＥは、ＲＲＣ接続モード１０８の異なる区分（divisions）内であり得る。例えば、ＵＥは、他のとり得る区分の中でも、ＣＥＬＬ＿ＤＣＨ区分１１０、ＣＥＬＬ＿ＦＡＣＨ区分１１２、ＣＥＬＬ＿ＰＣＨ区分１１４、及び／又はＵＲＡ＿ＰＣＨ区分１１６であり得る。ＵＥの各状態は、他の手順の中でもモビリティ、ページング（paging）の受信、データ送信、受信、及び測定に関してＵＥが実行する必要がある手順を定義することができる。ＬＴＥシステムにおいて、状態は、ＬＴＥシステムがＲＲＣアイドルモード１０６及びＲＲＣ接続モード１０８のみ有するように簡素化されている。すなわち、ＬＴＥシステムにおいて、ＲＲＣ接続モード１０８内の別個の区分は存在し得ない。本明細書において用いられるとき、用語のモード及び状態は、交換可能に用いられる。例えば、ＲＲＣ接続モード１０８におけるＵＥは、ＲＲＣ接続状態であり得る。前に説明されたように、図１は、ＧＳＭシステム、ＵＭＴＳシステム、及びＬＥＴシステムの状態及び遷移を示す。
【００１２】
これらテクノロジーの各々における状態の選択は、データアクティビティに基づくことができる。データアクティビティには、他のとり得るデータアクティビティの中でも、ＵＥがデータを送信及び／又は受信しているか否か、チャネルのうちいずれのタイプがデータを送信及び／又は受信するのに使用されるか、及び、ネットワークがどれほど速くデータを受信することを開始するためにデバイスをページングすることができるかを含むことができる。
【００１３】
５Ｇでは、サービスドリブンシステムが特色とされることがある。ネットワークに接続する多くのタイプのデバイスと、モバイルブロードバンドの多くの使用とのため、５Ｇは、多くの新しいユースケースを有し、各々がその独自の要件セットを有することになる。例えば、ユースケース「モノのインターネット」が、コネクションレスサービス提供を利用することができ、「ミッションクリティカル」ユースケースが、低レイテンシ及び高信頼性サービスを利用することができる。５Ｇは、種々のユースケース、さらには種々のタイプの端末、無線環境、及びネットワーク負荷、並びにビジネス及び価格設定モデルを採用することができる。このことは、モバイルオペレータが固有のサービスオファーに組み込むことができるカスタマイズ可能なサービスの柔軟なセットを結果としてもたらすことになる。
【００１４】
ＵＥのタイプとＵＥがサポートするサービスのタイプとに依存して、ＵＥの状態遷移をトリガすることができる条件は、ＵＥの状態に基づいて異なる可能性がある。さらに、あるモード／状態内におけるＵＥの挙動もまた変動する可能性がある。
【００１５】
例えば、ＵＥが固定的である場合、モビリティ手順は必要とされなくてもよく、ページングは１つのセルに限定できる。ＵＥがコネクションレスモードにおいて少量のデータのみ送信する場合、ＵＥは接続モードをサポートしなくてもよく、少量のデータはアイドルモード（例えば、ＧＳＭアイドルモード１０４、ＲＲＣアイドルモード１０６）において送信できる。本明細書に提供される例は例示目的であり、限定として解釈されるべきではない。
【００１６】
モバイル通信の次の波は、産業及び産業プロセスを結集し、自動化することである。このことは、マシンタイプ通信（ＭＴＣ）及びＩｏＴとして広く参照される。本明細書において用いられるとき、用語のデバイスはＵＥを参照する。デバイスは、組み込まれた通信能力及び統合されたセンサを利用して、そのローカル環境に対して作用し、インテリジェントなロジックに基づいてリモートトリガを使用することができる。これらＵＥは、能力、電力消費、及びコストに関して要件の観点で異なることがある。ＩｏＴ  ＵＥは、広範なネットワーキング要件、例えば、中でも信頼性、セキュリティ、及び性能（例えば、レイテンシ及び／又はスループット）などを有する可能性がある。垂直的産業（例えば、ヘルス、自動車、ホーム、エネルギー）に対する新しいサービスの作成は、コネクティビティに限定されない可能性があるが、クラウドコンピューティング、ビッグデータ管理、セキュリティ、ロジスティクス、及び他のネットワーク対応能力からのイネイブラーを組み入れることができる。
【００１７】
５Ｇは、複数のタイプのアクセステクノロジー、マルチレイヤネットワーク、複数のタイプのデバイス、及び／又は複数のタイプのユーザインタラクション等の存在により特徴づけられた高度にヘテロジニアスな環境において動作することができる。
【００１８】
これまで、３ＧＰＰ  ＵＥにより提供されたサービスは、音声及び／又はデータに大抵集中している。モバイルブロードバンドは、ＵＥの一適用である。ＵＥは同様にふるまい、音声コール及び／又はインターネットブラウジング／電子メールを実行する。前に進み、５Ｇ  ＵＥは、多くの異なるタイプのサービスのサポートを利用し、複数の垂直的統合を満たすことができる。
【００１９】
異なるＩｏＴの垂直的統合には、他タイプの垂直的統合の中でも、ヘルスケアの垂直的統合、ロジスティクスの垂直的統合、エネルギー／ユーティリティの垂直的統合、公共インフラストラクチャの垂直的統合、建物／構造物の垂直的統合、輸送機関の垂直的統合、小売／消費者の垂直的統合、及び産業の垂直的統合を含むことができる。ＩｏＴの垂直的統合は、遅延トレラントから超低レイテンシまで、及びスモールデータパケットからビデオ送信まで、多様な要件を作り出すことがある。
【００２０】
ヘルスケアの垂直的統合には、ケア提供者、医療デバイス製造業者、及び／又は健康保険会社を含むことができる。ロジスティクスの垂直的統合には、資産追跡サービス及び／又は出荷を含むことができる。エネルギー／ユーティリティの垂直的統合には、電気、水、及びごみの、収集者、メータ製造業者、及び／又はパイプライン／精製所管理を含むことができる。公共インフラストラクチャの垂直的統合には、トラフィック制御、施設管理、エマージェンシーサービス、及び／又はセキュリティ／防衛を含むことができる。建物／構造物の垂直的統合には、エネルギー管理及び／又はセキュリティを含むことができる。輸送機関の垂直的統合には、自動車インフォテインメントハードウェア／サービス、保有車両管理、輸送機関保険、及び／又は大量輸送機関を含むことができる。小売／消費者の垂直的統合には、電化製品／家庭用品、パーソナルデバイス製造業者、看板、及び／又は販売を含むことができる。産業の垂直的統合には、他のとり得る垂直的統合の中でも、製造／製作、研究所／製薬、及びアグリビジネス／農業を含むことができる。
【００２１】
ＵＥの挙動は、ＲＲＣモード（例えば、状態）を用いて定義できる。ＲＲＣモードが使用できるのは、異なるＲＲＣモードにあるデバイスが別様にふるまうためである。ＵＥの挙動は、さらに、遅延トレラント機能性を用いて定義できる。より大きい遅延に対して耐性があり、ゆえにより低い優先順位に関連付けられるＭＴＣデバイスについて、遅延トレラント機能性を満たすことができる。
【００２２】
５Ｇにおいて、サービスに対する異なる要件を有する多くの異なるタイプのデバイスをサポートするために、異なるデバイスが動作の各モード（例えば、状態）内で異なるプロファイルに適合することがある。本明細書に説明される幾つかの例は、中でも５Ｇシステムをターゲットにしたデバイスプロファイルを作成するフレームワークを開示する。
【００２３】
図２は、一実施形態に従うデバイスプロファイルコンポーネントのブロック図である。図２は、プロファイル値選択肢、例えば、プロファイル名２２０、デバイスプロファイルコンポーネント２２１‐１、２２２‐２、及び２２２‐３、並びにコンポーネント値２２４‐１、２２４‐２、２２４‐３、２２４‐４、２２４‐５、２２４‐６、２２４‐７、及び２２４‐８などを含む。デバイスプロファイルコンポーネント２２２‐１、２２２‐２、及び２２２‐３は、本明細書においてデバイスプロファイルコンポーネント２２２として参照されることがある。コンポーネント値２２４‐１、２２４‐２、２２４‐３、２２４‐４、２２４‐５、２２４‐６、２２４‐７、及び２２４‐８は、本明細書においてコンポーネント値２２４として参照されることがある。
【００２４】
ユーザプロファイルが、ユーザを特徴づけることができる。しかしながら、いくつかのＵＥは必ずしもユーザに関連付けられず、例えば、ユーザにより操作されないがマシンツーマシン通信を実行するワイヤレスセンサなどである。本明細書に開示されるデバイスプロファイルは、デバイス（例えば、ＵＥ）及びその挙動を特徴づけることに使用できる。例えば、ＵＥにより実行される手順は、デバイスプロファイルに依存して変化してもよい。ネットワークは、各ＵＥをデバイスプロファイルに基づいて扱うことができる。例えば、ＥＰＣネットワークは、ＵＥに対するネットワークアクセスを対応するデバイスプロファイルに基づいて構成することができる。
【００２５】
いくつかの例において、デバイスプロファイルは、ユーザプロファイルの一部であり得る。例えば、デバイスプロファイルは、ユーザプロファイルのコンポーネントであり得る。他の例において、デバイスプロファイルは、ユーザプロファイルから独立して定義できる。
【００２６】
デバイスプロファイルは、１つ以上のデバイスプロファイルコンポーネント２２２、その対応するコンポーネント値２２４、及び／又はＵＥの所望され若しくは予期された挙動により定義される。中でも、下記のデバイスプロファイルコンポーネント２２２と、デバイスプロファイルの一部として異なるＵＥによってこれらコンポーネントがとる可能性があるそのとり得る設定又は値とが、開示される。下記で説明されるように、デバイスプロファイルは、その対応するコンポーネント値２２４を有するデバイスプロファイルコンポーネント２２２のリストにより定義できる。
【００２７】
デバイスプロファイルコンポーネント２２２‐１は、モビリティ（mobility）コンポーネントであり、モビリティコンポーネントは、コンポーネント値２２４‐１（例えば、低速移動）、コンポーネント値２２４‐２（例えば、高速移動）、又はコンポーネント値２２４‐３（例えば、固定的）を有することができる。デバイスプロファイルコンポーネント２２２‐２は、リーチャビリティ（reachability）コンポーネントであり、リーチャビリティコンポーネントは、コンポーネント値２２４‐４（例えば、モバイル発信（mobile  originated）（ＭＯ）サービスのみサポートするデバイス）、又はコンポーネント値２２４‐５（例えば、ページングをサポートする必要がないデバイス、モバイル発信（ＭＯ）及びモバイル着信（mobile  terminated）（ＭＴ）サービスをサポートするデバイス）を有することができる。デバイスプロファイルコンポーネント２２２‐３は電源（power  supply）コンポーネントであり、電源コンポーネントは、コンポーネント値２２４‐６（例えば、電源に常時接続されたデバイス、例えば家庭の水道メータなど）、コンポーネント値２２４‐７（例えば、電源に時々接続されるデバイス、例えばウェアラブルデバイスなど）、コンポーネント値２２４‐８（例えば、電源に接続されないデバイス、例えばセンサなど）を有することができる。
【００２８】
デバイスプロファイルは、さらに、図２に示されない他のデバイスプロファイルコンポーネントにより定義できる。例えば、デバイスプロファイルは、グループ（group）コンポーネント、予期バッテリ寿命（expected  battery  lifetime）コンポーネント、時間制御（time  control）コンポーネント、モビリティ制限（mobility  restricted）コンポーネント、データアクティビティ（data  activity）コンポーネント、エマージェンシー（emergency）コンポーネント、セキュリティ（security）コンポーネント、無線インターフェース（radio  interface）コンポーネント、専用通信（dedicated  communication）コンポーネント、及び／又は専用ネットワーク（dedicated  network）コンポーネントにより定義できる。
【００２９】
グループコンポーネントは、グループの一部であり、かつスタンドアロンモードで動作しないデバイスを説明するコンポーネント値、又は、スタンドアロンモードで動作することができるデバイスを説明するコンポーネント値を有することができる。予期バッテリ寿命コンポーネントは、予め定義されたバッテリライフより大きいバッテリライフを説明するコンポーネント値、又は、上記予め定義されたバッテリライフより小さいバッテリライフを説明するコンポーネント値を有することができる。
【００３０】
時間制御コンポーネントは、特定の時間ウィンドウ内にのみ送信及び受信するデバイスを説明するコンポーネント値、又は、任意の時間に送信及び受信することができるデバイスを説明するコンポーネント値を有することができる。モビリティ制限コンポーネントは、特定のエリア（例えば、トラッキングするエリア、市、州、国）内で移動するデバイスを説明するコンポーネント値、追跡経路内で移動するデバイスを説明するコンポーネント値、又は、所与のロケーションから短い範囲の距離（例えば、家から５０マイル）内で移動するデバイスを説明するコンポーネント値を有することができる。
【００３１】
データアクティビティコンポーネントは、頻繁な（例えば、周期的な）データバーストアクティビティを有するデバイスを説明するコンポーネント値、又は、頻繁でない（例えば、非周期的な）データバーストアクティビティを有するデバイスを説明するコンポーネント値を有することができる。エマージェンシーコンポーネントは、高優先順位（例えば、エマージェンシー）コールをトリガするのに使用されるデバイスを説明するコンポーネント値、又は、非高優先順位コールをトリガするのに使用されるデバイスを説明するコンポーネント値を有することができる。
【００３２】
セキュリティコンポーネントは、よりローエンドのセキュリティメカニズムを使用するデバイス（例えば、デバイスがセキュリティ暗号化及び保護メカニズムをすでに有する場合、又は、セキュリティがデバイスに対して懸念でない場合）を説明するコンポーネント値、通常のセキュリティメカニズムを使用するデバイスを説明するコンポーネント値、又は、ハイエンドのセキュリティメカニズムを使用するデバイスを説明するコンポーネント値を有することができる。用語の通常のセキュリティメカニズム及び／又はハイエンドのセキュリティメカニズムは、デバイスの機能、産業、及び／又はデバイスに関連付けられたデータに対して相対的である。そのようなものとして、用語のハイエンドのセキュリティメカニズムは、通常のセキュリティメカニズムよりもより厳重であるセキュリティメカニズムを説明する。
【００３３】
無線インターフェースコンポーネントは、複数のコンポーネント値を有することができ、該コンポーネント値の各々が、無線テクノロジー及び／又はインターフェースのうち１つ、例えば、他のとり得る無線テクノロジーの中でも、ＬＴＥ無線テクノロジー、デバイスツーデバイス（Ｄ２Ｄ）無線テクノロジー、ＷｉＦｉ（登録商標）無線テクノロジー、ブロードキャスティングテクノロジー（ＢＴ）無線テクノロジー、及び車両通信無線テクノロジーなどを説明する。使用される無線テクノロジー又はメカニズムには、５Ｇにおいて定義される無線テクノロジー、又は現在の無線テクノロジーの進化型を含むことができる。
【００３４】
専用通信コンポーネントは、単一の予め定義されたアクセスポイント名（ＡＰＮ）に接続するデバイス、例えば、特定のサーバ及び／又はバーチャルプライベートネットワーク（ＶＰＮ）にのみアクセスするデバイスなどを説明するコンポーネント値を有することができる。専用ネットワークコンポーネントは、専用ネットワーク、例えば、ＭＴＣデバイスのみに対して専用にされたネットワークなどを用いて接続するデバイスを説明するコンポーネント値を有することができる。
【００３５】
デバイスプロファイルコンポーネント２２２に基づき、スマートフォンＵＥの一例示的な第１のプロファイルは、高速の値（例えば、コンポーネント値２２４‐２）を有するモビリティコンポーネント（例えば、デバイスプロファイル２２２‐１）と、ＭＯ及びＭＴの値（例えば、コンポーネント値２２４‐５）を有するリーチャビリティコンポーネント（例えば、デバイスプロファイルコンポーネント２２２‐２）と、時々接続の値（例えば、コンポーネント値２２４‐７）を有する電源コンポーネント（例えば、デバイスプロファイルコンポーネント２２２‐３）とを含むことができる。センサＵＥの一例示的な第２のプロファイルは、固定的の値（例えば、コンポーネント値２２４‐３）を有するモビリティコンポーネント（例えば、デバイスプロファイルコンポーネント２２２‐１）と、ＭＯのみの値（例えば、コンポーネント値２２４‐４）を有するリーチャビリティコンポーネント（例えば、デバイスプロファイルコンポーネント２２２‐２）と、接続なしの値（例えば、コンポーネント値２２４‐８）を有する電源コンポーネント（例えば、デバイスプロファイルコンポーネント２２２‐３）とを含むことができる。
【００３６】
いくつかの例において、各デバイスプロファイルは、異なる種類及び数のコンポーネントを有することができる。ＵＥは、単一のデバイスプロファイル又は複数のデバイスプロファイルに関連付けできる。
【００３７】
ＵＥの挙動は、デバイスプロファイルに基づいて定義できる。例えば、デバイスの挙動は、プロファイルデバイスコンポーネント２２２のコンポーネント値２２４、デバイスプロファイルコンポーネント２２２のリスト、及び／又はＵＥのために選択されたデバイスプロファイルがある時間にわたり変化するかどうかに基づいて構成できる。デバイスは、上記のうち任意の組み合わせに基づいて構成できる。
【００３８】
いくつかの例において、コンポーネント値２２４及び／又はデバイスプロファイルコンポーネント２２２は、静的、半静的（semi-static）、又は動的であり得る。例えば、デバイスプロファイルが、静的であるコンポーネント値２２４を含む場合、ＵＥは、ある時間にわたり、対応するデバイスプロファイルコンポーネント２２２に割り当てられた値を変更することができない。デバイスプロファイルが、半静的であるコンポーネント値２２４を含む場合、コンポーネント値２２４のセットが予め定義及び／又は予め構成されて、対応するデバイスプロファイルがとり得る値の選択肢を限定することができ、そのため、ＵＥは、許容された値間のみ選択することができる。デバイスプロファイルが、動的であるコンポーネント値２２４を含む場合、コンポーネント値の値は、ある時間にわたり変更できる。
【００３９】
デバイスプロファイルを構成するデバイスプロファイルコンポーネント２２２のリストが、さらに、静的、半静的、又は動的として定義できる。デバイスプロファイルコンポーネント２２２のリストが静的である場合、ＵＥは、デバイスプロファイル内に定義されたデバイスプロファイルコンポーネント２２２のリストを変更することができない。デバイスプロファイルコンポーネント２２２のリストが半静的である場合、ＵＥが許容されたコンポーネント間のみ選ぶという理解で、コンポーネントのセットが予め定義及び／又は予め構成されて、使用できるデバイスプロファイルコンポーネントを限定することができる。デバイスプロファイルコンポーネント２２２のリストが動的である場合、デバイスプロファイルコンポーネントのリストは、ある時間にわたり変化することができる。
【００４０】
いくつかの例において、デバイスプロファイルが、さらに、静的、半静的、又は動的として定義できる。デバイスプロファイルが静的である場合、ＵＥとデバイスプロファイルとの間の関連付けは、ある時間にわたり変更できない。デバイスプロファイルが半静的である場合、デバイスプロファイルのセットが予め定義及び／又は予め構成され、ＵＥは、デバイスプロファイルのセットにのみ関連付けできる。デバイスプロファイルが動的である場合、ＵＥとデバイスプロファイルとの間の関連付けは、ある時間にわたり変更できる。
【００４１】
ＵＥ、ｅＮｏｄｅＢ、及び／又は異なるＥＰＣネットワークコンポーネントが、デバイスプロファイルを選択することができる。選択されたデバイスプロファイルは、ＵＥに関連付けできる。ＥＰＣネットワークは、ＵＥに関連付けられる特定のデバイスプロファイルを強制し、トリガし、制御し、かつ／あるいは示すための手順を定義することができる。
【００４２】
前に説明されたように、ＵＥは、１つのデバイスプロファイル又は複数のデバイスプロファイルに関連付けできる。複数のデバイスプロファイルが同時にＵＥに関連付けられる場合、ルールのセットが、デバイスプロファイルの相互作用、優先順位づけ、上書き、及び／又は組み合わせを定義することができる。ルールのセットは、関連付けられたデバイスプロファイルのうちいずれがＥＰＣネットワークに対するアクセスを構成するのに使用されるかを定義してもよい。例えば、第１のデバイスプロファイルは、所定の時間の前にＥＰＣネットワークに対するアクセスを構成するために選択でき、第２のデバイスプロファイルは、上記所定の時間の後にＥＰＣネットワークに対するアクセスを構成するために選択できる。別の例において、ＵＥに関連付けられた複数のデバイスプロファイルが、ＥＰＣネットワークに対するアクセスを構成するために選択されてもよい。
【００４３】
いくつかの実施形態において、ＵＥがブートシーケンスを始動したとき、及び／又はＵＥがスイッチオンされたとき、ＵＥは、使用すべきデバイスプロファイルを選択することができる。ＵＥに利用可能なデバイスプロファイルは、デバイス内に予め構成できる。例えば、デバイスプロファイルは、加入者識別モジュールカード内に予め構成され、加入情報の一部であってもよい。
【００４４】
他の実施形態において、デバイスプロファイルは、オープンモバイルアライアンスデバイスマネジメント（open  mobile  alliance-device  management）（ＯＭＡ‐ＤＭ）機能性を用いてＥＰＣネットワーク（例えば、ｅＮｏｄｅＢ）により構成され、かつ／あるいはＵＥに送られることができる。例えば、ネットワークは、オープンモバイルアライアンスマネジメントオブジェクトを生成し、かつ／あるいはＵＥに送って、デバイスプロファイルをＵＥに提供することができる。任意選択で、利用可能なデバイスプロファイルは、専用ＲＲＣ又はＮＡＳメッセージを介して送られてもよい。
【００４５】
ＵＥは、ｅＮｏｄｅＢを介して、ＥＰＣネットワークに、選択及び／又は使用されるプロファイルを通知することができる。いくつかの実施形態において、ＵＥ及びＥＰＣネットワークは、例えば、専用のＲＲＣメッセージ及び／又は非アクセス層（non-access  stratum）（ＮＡＳ）メッセージを介して、ＥＰＣネットワークに対するアクセスを構成することに使用されるデバイスプロファイルの選択を協調することができる。デバイスプロファイルは、ＵＥのアタッチ及び登録の間（例えば、アタッチ要求及び／又はトラッキングエリアアップデートメッセージにおいて）、サービス確立の間（例えば、サービス要求メッセージにおいて）、ＲＲＣ接続確立の間、ＵＥ能力（UE  capabilities）の一部として、及び使用されるデバイスプロファイル関連説明を伝達する新しいメッセージ及び／又は情報エレメント（ＩＥ）の一部として選択できる。
【００４６】
いくつかの例において、選択されたデバイスプロファイルは、アイドルモードの間、アイドルから接続への遷移の間、及び／又は接続モードの間、置換（例えば、切り替え）できる。さらに、ＵＥは、下記の実施形態例に示されるように、ＵＥにより使用されるデバイスプロファイルの選択を示さなくてもよく、かつ／あるいは該選択に対してネットワークと協調しなくてもよい。
【００４７】
デバイスプロファイルが静的であり、ＵＥが加入手順の一部としてあるデバイスプロファイルで構成される場合、ネットワークがＵＥ加入に基づいて上記デバイスプロファイルを記憶しているとき、ＵＥは選択の情報をネットワークに提供しなくてもよい。別の実施形態において、ＵＥは、デバイスプロファイルを選択し、その情報をアタッチ手順上でネットワークに提供することができる。ＵＥは、ＥＰＣネットワークからデタッチし、新しい選択されたプロファイルを用いて再度アタッチ／登録して、選択されたデバイスプロファイルを変更してもよい。すなわち、ＵＥは、新しいデバイスプロファイルで新しいサービスを開始することができる。新しいサービスは、ＵＥが既に開始しているサービスとは異なることができ、進行中であってもよい。
【００４８】
デバイスプロファイルに依存して、ＥＰＣネットワークに対するアクセスを提供するのに特定の手順が必要とされることがあり、あるいは必要とされないこともある。例えば、ＵＥが、関連付けられたデバイスプロファイル内に定義されるように固定的である場合、ＥＰＣネットワークに対するアクセスを提供するためにロケーション更新が利用されなくてもよい。ＵＥが、デバイスプロファイルに定義されるようにＭＯコールのみサポートする場合、ＥＰＣネットワークに対するアクセスを提供するためにロケーション更新又はページングは必要とされない。ＵＥが、デバイスプロファイルに定義されるように厳密な電力限定を有する場合、ＥＰＣネットワークに対するアクセスを提供するために、かなり長い間欠受信（discontinuous  reception）（ＤＲＸ）が利用できる。デバイスプロファイルコンポーネント２２２とその関連付けられたデバイス値２２４との対応するリストを有するデバイスプロファイルの使用は、ＵＥ及び／又はＥＰＣネットワークが如何にして作用及び／又は相互作用するかを決定することができる。
【００４９】
例えば、デバイスプロファイルは、ＵＥにより使用され及び／又は関連付けられるランダムアクセス構成又はメカニズムに影響することができる。デバイスプロファイルは、使用されるアクセス制御メカニズム又は構成に影響することができる。デバイスプロファイルは、ＵＥにより、中継ノードにより、及び／又は他のテクノロジーによりＥＰＣネットワークにアクセスするために使用される接続の種類に影響することができる。
【００５０】
デバイスプロファイルは、デバイスタイプを含むことができる。デバイスタイプは、例えば、他のデバイスタイプの中でも、スマートフォン又はＩｏＴデバイスであり得る。デバイスプロファイルは、デバイスタイプとは異なり、なぜならば、デバイスタイプが静的である間、デバイスプロファイルは静的でなくてもよいからである。例えば、ＵＥは、スマートフォンデバイスタイプであるデバイスタイプに関連付けできるが、ＵＥは、ＩｏＴデバイスとして使用でき、そのようなものとして、ＵＥは、該ＵＥがスマートフォンデバイスタイプとして分類できるとしても、ＩｏＴデバイスタイプに関連付けできる。そのよなものとして、ＥＰＣネットワークに対するアクセスを構成するためにデバイスタイプを使用することは、ＥＰＣネットワークに対するアクセスを構成するためにデバイスプロファイルを使用することと同じでなく、なぜならば、デバイスプロファイルは、ＵＥの意図された使用法よりむしろ、ＵＥの現在の使用法を説明することができるからである。そのようなものとして、幾つかの例において、デバイスタイプをデバイスプロファイルで置換して、ＥＰＣネットワークに対するアクセスを構成することができる。さらに、デバイスプロファイルは、そのデバイスタイプに対して独立して又は関連して定義できる別のレベルの分類であり得る。デバイスプロファイルは、さらに、ネットワークのいずれのスライスがＵＥに割り振られるべきかをネットワークが判断することを可能にすることができる。
【００５１】
いくつかの実施形態において、デバイスプロファイル及び／又は他のファクタに基づいてＥＰＣネットワークにアクセスするとき、階層的アプローチを使用することができる。デバイスプロファイル及び他のファクタが使用されて、ＥＰＣネットワークに対するアクセスを構成することができる。例えば、いかなる他のファクタもないデバイスプロファイルが使用されて、ＥＰＣネットワークに対するアクセス制御メカニズムを構成することができる。デバイスプロファイルとアプリケーションの分類とが使用されて、ＥＰＣネットワークに対するアクセス制御メカニズムを構成してもよい。アプリケーションの分類は、ＵＥがサービスしているアプリケーションを説明し、ＥＰＣネットワークリソースを要求することができる。例えば、ＵＥを用いて記憶又は実行しているアプリケーションがネットワークトラフィックを送信し、かつ／あるいは受信する場合、アプリケーションの分類がデバイスプロファイルと共に使用されて、ＥＰＣネットワークに対するアクセスを構成することができる。
【００５２】
デバイスプロファイル及びサービスタイプが使用されて、ＥＰＣネットワークに対するアクセス制御メカニズムを構成することができる。サービスタイプは、デバイスプロファイルに関連付けられたＵＥが要求しているサービスのタイプを説明することができる。デバイスプロファイル及び通信タイプが使用されて、ＥＰＣネットワークに対するアクセス制御メカニズムを構成することができる。通信タイプは、ＥＰＣネットワーク及び／又は他のデバイスと通信するのにＵＥにより使用される無線テクノロジー及び／又はインターフェースを説明することができる。本明細書において説明されたファクタ以外のファクタが使用されて、ＥＰＣネットワークに対するアクセスを構成してもよい。
【００５３】
いくつかの実施形態において、デバイスプロファイル及び１つ以上のファクタが使用されて、ＥＰＣネットワークに対するアクセスを構成することができる。例えば、デバイスプロファイル、通信タイプ、及びサービスタイプが使用されて、ＥＰＣネットワークに対するアクセス制御メカニズムを構成することができる。
【００５４】
図３は、一実施形態に従うデバイスプロファイルコンポーネントのブロック図である。図３は、デバイスプロファイル３２１‐１及び３２１‐２を含み、本明細書においてデバイスプロファイル３２１として参照される。デバイスプロファイルコンポーネント３２２‐１、３２２‐２、及び３２２‐３は、本明細書においてデバイスプロファイルコンポーネント３２２として参照される。コンポーネント値３２４‐１、３２４‐２、３２４‐３、３２４‐４、３２４‐５、３２４‐６、３２４‐７、３２４‐８、３２４‐９、３２４‐１０、・・・、３２４‐Ｘは、本明細書においてコンポーネント値３２４として参照される。
【００５５】
デバイスプロファイルコンポーネント３２２‐１（例えば、通信タイプ）は、コンポーネント値３２４‐１（例えば、Ｄ２Ｄ）又はコンポーネント値３２４‐２（例えば、デバイスツーインフラストラクチャ（Ｄ２Ｉ））を有することができる。デバイスプロファイルコンポーネント３２２‐２（例えば、サービスタイプ）は、コンポーネント値３２４‐３（例えば、公共の安全）、コンポーネント値３２４‐４（例えば、非公共の安全（商業上））、コンポーネント値３２４‐５（例えば、ＩＰマルチメディアシステム（ＩＭＳ）ボイス）、コンポーネント値３２４‐６（例えば、ＩＭＳビデオ）、コンポーネント値３２４‐７（例えば、ＩＭＳショートメッセージサービス（ＳＭＳ））、コンポーネント値３２４‐８（例えば、シグナリングのみ）、及びデバイスコンポーネント値９（例えば、データ）を有することができる。デバイスプロファイルコンポーネント３２２‐３（例えば、アプリケーションタイプ）は、コンポーネント値３２４‐１０（例えば、アプリケーション１）乃至コンポーネント値３２４‐Ｘ（例えば、アプリケーションＸ）を有することができる。
【００５６】
Ｄ２Ｄは、エアインターフェースリソースを用いたＵＥ間の通信を含む。Ｄ２Ｉは、エアインターフェース及びコアネットワークリソースを用いたＵＥとＥＰＣネットワークとの間の通信を含む。
【００５７】
図３は、デバイスプロファイルコンポーネント３２２の階層を示す。デバイスプロファイルコンポーネント３２２の階層は、デバイスプロファイルコンポーネント３２２‐２及びデバイスプロファイルコンポーネント３２２‐３よりもデバイスプロファイルコンポーネント３２２‐１に、より高い優位を与えることを含む。デバイスプロファイルコンポーネント３２２‐２は、デバイスプロファイルコンポーネント３２２‐３よりもより高い優位を有する。他の例において、デバイスプロファイルの階層は、図３に示される階層と異なってもよい。
【００５８】
ＥＰＣネットワークに対するアクセスがデバイスプロファイルと次いで通信タイプとに基づいて構成できる場合、階層的アプローチが如何にして使用できるかの明りょう化について、さらなる詳細が提供される。
【００５９】
例えば、ＥＰＣネットワークが、デバイスプロファイルコンポーネント３２２‐１についてコンポーネント値３２４‐１を含むデバイスプロファイルを有するＵＥに対してのみアクセスを提供する場合、デバイスプロファイルコンポーネント３２２‐２又はデバイスプロファイルコンポーネント３２２‐３のコンポーネント値にかかわらず、デバイスプロファイルコンポーネント３２２‐１についてコンポーネント値３２４‐２を有するデバイスプロファイルに関連付けられたＵＥについてアクセスを制限することができる。ＥＰＣネットワークが、デバイスプロファイルコンポーネント３２２‐２についてコンポーネント値３２４‐９を含むデバイスプロファイルを有するＵＥに対してのみアクセスを提供する場合、デバイスプロファイルコンポーネント３２２‐３のコンポーネント値にかかわらず、コンポーネント値３２４‐３乃至３２４‐８を有するデバイスプロファイルに関連付けられたＵＥについてアクセスを制限することができる。
【００６０】
すなわち、通信タイプ（例えば、３２２‐１）に基づくアクセス制御がない場合、サービスタイプ（例えば、デバイスプロファイルコンポーネント３２２‐２）に基づく制御が適用される。このことは、通信タイプ、サービスタイプ、及びアプリケーションタイプが将来追加される可能性がある場合に、スケーラブルなアーキテクチャを可能にする。
【００６１】
いくつかの例において、デバイスプロファイルは、ＵＥ上で作動しているアプリケーションに関連付けられてもよい。すなわち、デバイスプロファイルは、特定のアプリケーションがＵＥを制御している間のみ、及び、そのようなものとして、上記特定のアプリケーションがＵＥを介してＥＰＣネットワークと通信しているときのみ、ＵＥに関連付けられてもよい。
【００６２】
いくつかの実施形態において、デバイスプロファイルは、ＵＥを構成するために使用できる。すなわち、ＵＥは、デバイスプロファイルに基づいて構成できる。例えば、ＥＰＣネットワークがＵＥに対する構成コマンドを提供している場合、通信コマンドのタイプを、ＵＥに関連付けられたデバイスプロファイルに基づいて選択することができる。
【００６３】
図４は、一実施形態に従う電子デバイス回路を示すブロック図であり、上記電子デバイス回路は、ｅＮｏｄｅＢ回路、ユーザ機器（ＵＥ）回路、ネットワークノード回路、又は何らかの他タイプの回路であり得る。図４は、電子デバイス４００を示し、電子デバイス４００は、様々な実施形態に従いｅＮｏｄｅＢ、ＵＥ、又は何らかの他タイプの電子デバイスであってもよく、あるいはこれらに組み入れられてもよく、あるいはその他の方法でこれらの一部であってもよい。具体的に、電子デバイス４００は、ハードウェア、ソフトウェア、及び／又はファームウェアのうち１つ以上において少なくとも部分的に実装できるロジック及び／又は回路であり得る。実施形態において、電子デバイスロジックは、制御ロジック４７３及び／又はプロセッサ４７１に結合された無線送信／送信器ロジック（例えば、第１の送信器ロジック４７７）及び受信／受信器ロジック（例えば、第１の受信器ロジック４８３）を含むことができる。実施形態において、送信／送信器及び／又は受信／受信器ロジックは、送受信器ロジックの要素又はモジュールであり得る。第１の送信器ロジック４７７及び第１の受信器ロジック４８３は、別個のデバイス内に収納されてもよい。例えば、第１の送信器ロジック４７７を第１のデバイスに組み入れることができると同時に第１の受信器ロジック４８３を第２のデバイスに組み入れることができ、あるいは、送信器ロジック４７７及び受信器ロジック４８３は、制御ロジック４７３、メモリ４７９、及び／又はプロセッサ４７１のうち任意の組み合わせを含むデバイスとは別個のデバイスに組み入れられてもよい。電子デバイス４００は、１つ以上のアンテナの１つ以上のアンテナ要素４８５に結合され、あるいは該アンテナ要素４８５を含むことができる。電子デバイス４００及び／又は電子デバイス４００のコンポーネントは、本開示内で他の場所で説明される動作と同様の動作を実行するように構成できる。
【００６４】
電子デバイス４００がＵＥ及び／又はｅＮｏｄｅＢ又はこれらのデバイス部分を実装し、あるいはこれらに組み入れられ、あるいはその他の方法でこれらの一部である実施形態において、電子デバイス４００は、ＥＳＳを生成することができる。プロセッサ４７１は、第１の受信器及び第１の送信器に結合できる。メモリ４７９はプロセッサ４７１に結合され、制御ロジック命令を有することができ、該命令は実行されると、ＥＳＳを生成し、かつ／あるいは送信する。
【００６５】
電子デバイス４００がデータを受信し、データを生成し、かつ／あるいはＵＥへの／からのデータを送信してＥＳＳを含む下りリンク（downlink）信号を実施する実施形態において、プロセッサ４７１は、受信器及び送信器に結合できる。メモリ４７９はプロセッサ４７１に結合され、制御ロジック４７３命令を有することができ、該命令は実行されると、物理セルＩＤから生成されたルートインデックスを用いてＥＳＳを生成することが可能であり得る。
【００６６】
本明細書において用いられるとき、用語「ロジック」は、特定用途向け集積回路（ＡＳＩＣ）、電子回路、プロセッサ４７１（共有、専用、又はグループ）、及び／又は１つ以上のソフトウェア又はファームウェアプログラムを実行するメモリ４７９（共有、専用、又はグループ）、組み合わせロジック回路、及び／又は、説明される機能性を提供する他の適切なハードウェアコンポーネントを参照し、あるいはこれらの一部であり、あるいはこれらを含むことがある。具体的に、ロジックは、ハードウェア、ソフトウェア、及び／又はファームウェアにおいて少なくとも部分的に実装され、あるいはこれらの要素であり得る。いくつかの実施形態において、電子デバイスロジックは、１つ以上のソフトウェア又はファームウェアモジュールにおいて実装され、あるいはこれらにより実装できるロジックに関連付けられたファンクションであり得る。
【００６７】
図５は、デバイスプロファイルに基づいてネットワークアクセスを構成する一方法を示すブロック図である。方法は、ＵＥから受信された上りリンクデータをデコードすること５３０と、デコードされた上りリンクデータから、ＵＥに対応するデバイスプロファイルにアクセスすること５３２と、デバイスプロファイルに基づいてＥＰＣネットワークに対してＵＥが有するアクセスを構成すること５３４とを含む。
【００６８】
ＥＰＣネットワークに対してＵＥが有するアクセスには、ＥＰＣネットワークに対するアクセスをＵＥに提供するようにＥＰＣネットワークにより実施されるランダムアクセス構成、ＵＥのために実施されるシグナリングメカニズム、ＵＥのためにサポートされる無線リソース制御（ＲＲＣ）手順及び非アクセス層（ＮＡＳ）手順、ＵＥのためにサポートされる種類の接続、及びＵＥがアクセスを有するＥＰＣネットワークのスライス、のうち少なくとも１つ以上を含むことができる。本明細書において用いられるとき、ネットワークスライスは、中でも、地理的カバレッジエリア、継続期間、キャパシティ、速度、レイテンシ、ロバスト性、セキュリティ、及びアベイラビリティを統制する幾つかのカスタマイズ可能なソフトウェアデファインド機能により定義されたコネクティビティサービスを説明する。いくつかの例において、ネットワークスライスは、５Ｇシステムにおいて実装できる。ネットワークスライスの例には、他のとり得るスライスの中でも、スマートメータスライス、センサユーティリティスライス、メディアスライス、及びキャパシティ／カバレッジオンデマンドスライスを含むことができる。すなわち、上記スライスの各々は、５Ｇシステムの異なる部分を利用することができる。いくつかの例において、スライスは互いに独立であることができ、あるいは、スライスは共有リソースを利用することができる。
【００６９】
デバイスプロファイルは、モビリティコンポーネント、リーチャビリティコンポーネント、電源コンポーネント、グループコンポーネント、予期バッテリ寿命コンポーネント、時間制御コンポーネント、モビリティ制限コンポーネント、データアクティビティコンポーネント、エマージェンシーコンポーネント、セキュリティコンポーネント、無線インターフェースコンポーネント、専用通信コンポーネント、及び専用ネットワークコンポーネント、のうち１つ以上を含むことができる。モビリティコンポーネントは、移動性の値（a  mobility  value）、固定的の値（a  stationary  value）、及び高速移動の値（a  high-speed  mobile  value）、のうち１つを含むことができる。リーチャビリティコンポーネントは、ＭＯサービスの値（an  MO  service  value）、ページングをサポートせずの値（a  does  not  support  paging  value）、及びＭＴサービスの値（an  MT  service  value）、のうち１つを含むことができる。電源コンポーネントは、短期間バッテリで作動するデバイスの値（a  device  running  on  battery  for  short  term  value）、長期間バッテリで作動するデバイスの値（a  device  running  on  battery  for  long  term  value）、電源に接続されたデバイスの値（a  device  connected  to  a  power  supply  value）、及び時々充電されるデバイスの値（a  device's  sometimes  charged  value）、のうち１つを含む。
【００７０】
グループコンポーネントは、グループの一部でありスタンドアロンモードで動作しないデバイスの値（a  device  that  is  part  of  a  group  and  does  not  operate  in  a  standalone  mode  value）、及び、スタンドアロンモードで動作することができるデバイスの値（a  device  can  operate  in  a  standalone  mode  value）、のうち１つを含むことができる。予期バッテリ寿命コンポーネントは、第１時間期間バッテリライフの値（a  first  time  period  battery  life  value）、及び第２期間バッテリライフの値（a  second  period  battery  life  value）、のうち１つを含むことができる。ゆえに、ＵＥは、該ＵＥが所定の時間期間より少ないバッテリライフを有する場合、第１時間期間バッテリライフの値下に分類でき、ＵＥは、該ＵＥが上記所定の時間期間より大きいバッテリライフを有する場合、第２時間期間バッテリライフ下に分類できる。所定の時間期間は、他のとり得る時間期間の中でも、秒、分、日、週、若しくは月、又は時間期間の組み合わせであり得る。予期バッテリライフコンポーネントは、異なる継続期間の時間を定義する複数の値からの値を有する。
【００７１】
時間制御コンポーネントは、制限送信の値（a  restricted  transmission  value）、及び非制限送信の値（an  unrestricted  transmission  value）、のうち１つを含むことができる。モビリティ制限コンポーネントは、エリアの値（an  area  value）、経路の値（a  path  value）、及びロケーションの値（a  location  value）、のうち１つを含むことができる。データアクティビティコンポーネントは、周期的データバーストの値（a  periodic  data  burst  value）、及び非周期的データバーストの値（an  aperiodic  data  burst  value）、のうち１つを含む。周期的データバーストの値は、周期的及び／又は規則的であるＵＥのデータバーストを定義することができ、非周期的データバーストの値は、非周期的及び／又は非規則的であるＵＥのデータバーストを定義することができる。
【００７２】
エマージェンシーコンポーネントは、高優先順位の値（a  high  priority  value）、及び低優先順位の値（a  low  priority  value）、のうち１つを含むことができる。セキュリティコンポーネントは、低セキュリティの値（a  low  security  value）、ベースラインセキュリティの値（a  baseline  security  value）、及び高セキュリティの値（a  high  security  value）、のうち１つを含むことができる。無線インターフェースコンポーネントは、Ｄ２Ｄの値（a  D2D  value）、Ｄ２Ｉの値（a  D2I  value）、ＷｉＦｉの値（a  WiFi  value）、Ｂｌｕｅｔｏｏｔｈ（登録商標）の値（a  Bluetooth  value）、及び車両通信の値（a  vehicular  communication  value）、のうち１つを含むことができる。専用通信コンポーネントは、予め定義されたアクセスポイントネットワーク（ＡＰＮ）の値（a  pre-defined  access  point  network  (APN)  value）、複数ＡＰＮの値（a  multiple  APNs  value）、のうち１つを含む。専用ネットワークコンポーネントは、特定ネットワークの値（a  specific  network  value）、及び汎用ＥＰＣネットワークの値（a  generic  EPC  network  value）、のうち１つを含む。
【００７３】
図６は、デバイスプロファイルに基づいてネットワークアクセスを構成する一方法を示すブロック図である。方法は、ＵＥの挙動を特徴づけるデバイスプロファイルコンポーネントから成る１つ以上のデバイスプロファイルを記憶すること６３６を含むことができる。方法は、ｅＮｏｄｅＢのために、１つ以上のデバイスプロファイルを含む上りリンクデータを生成すること６３８をさらに含むことができる。方法は、ｅＮｏｄｅＢから受信された、１つ以上のデバイスプロファイルに基づく複数の構成を含む下りリンクデータをデコードすること６４０をさらに含むことができる。方法は、複数の構成に基づいてＵＥを構成すること６４２をさらに含むことができる。
【００７４】
デバイスプロファイルコンポーネントは静的であることができ、デバイスプロファイルコンポーネントのうちいずれに割り当てられた値もまた静的であることができる。いくつかの例において、デバイスプロファイルコンポーネントは動的であることができ、デバイスプロファイルコンポーネントのうちいずれに割り当てられた値もまたある時間にわたり動的であることができる。他の例において、デバイスプロファイルコンポーネントは半静的であることができ、デバイスプロファイルコンポーネントのうちいずれに割り当てできる値も限定される。いくつかの実施形態において、ＵＥは、所与の時間に１つのデバイスプロファイルに、又は所与の時間に２つ以上のデバイスプロファイルに関連付けられる。
【００７５】
方法は、１つ以上のデバイスプロファイルから、ＵＥのＥＰＣネットワークとの初期登録の間に使用するためのデバイスプロファイルを選択することをさらに含むことができる。方法は、選択されたデバイスプロファイルをＥＰＣネットワークに知らせることをさらに含むことができる。選択されたデバイスプロファイルをＥＰＣネットワークに知らせることは、アタッチ要求及びトラッキングエリアアップデート要求メッセージのうち少なくとも１つを介して発生することができる。
【００７６】
方法は、サービス要求メッセージを介してサービス確立の間に使用するためのデバイスプロファイルを選択することをさらに含むことができる。方法は、１つ以上のデバイスプロファイルから、ＲＲＣ接続確立の間に使用するためのデバイスプロファイルを選択することをさらに含むことができる。
【００７７】
方法は、１つ以上の記憶されたデバイスプロファイルからデバイスプロファイルを選択することと、選択されたデバイスプロファイルをＥＰＣネットワークに知らせることと、ＵＥに関連付けられたＵＥ能力情報をＥＰＣネットワークに知らせることとをさらに含むことができる。いくつかの例において、ＵＥ能力情報は、ＵＥ能力メッセージを介して提供できる。
【００７８】
図７は、デバイスプロファイルに基づいてネットワークアクセスを構成する一方法を示すブロック図である。方法は、複数のデバイスプロファイルを記憶すること７４４と、複数のデバイスプロファイルからデバイスプロファイルを選択すること７４６と、選択されたデバイスプロファイルに基づいてＥＰＣネットワークに対して複数のＵＥが有するアクセスを構成すること７４８と、を含むことができる。
【００７９】
いくつかの例において、ＥＰＣネットワークは、少なくとも選択されたデバイスプロファイルで構成されたＵＥについて、ＥＰＣネットワークに対するアクセスを禁止する（例えば、制限する）ことができる。ＥＰＣネットワークは、さらに、選択されたデバイスプロファイルと通信タイプとで構成されたＵＥについて、ＥＰＣネットワークに対するアクセスを禁止することができる。ＥＰＣネットワークは、さらに、選択されたデバイスプロファイルで構成され、かつサービス及びアプリケーションのタイプのうち少なくとも１つをサポートするために３ＧＰＰに対するアクセスを要求するＵＥについて、ＥＰＣネットワークに対するアクセスを禁止することができる。ＥＰＣネットワークは、さらに、選択されたデバイスプロファイルと通信タイプとに関連付けられ、かつサービス及びアプリケーションのタイプのうち少なくとも１つをサポートするために３ＧＰＰに対するアクセスを要求するＵＥについて、ＥＰＣネットワークに対するアクセスを禁止することができる。ＥＰＣネットワークは、選択されたデバイスプロファイルに少なくとも基づいてＥＰＣネットワークにアクセスすることを禁止されているデバイスの少なくとも１つのタイプをブロードキャストする無線アクセスネットワーク（ＲＡＮ）ノードをさらに含むことができる。
【００８０】
図８は、一実施形態に従うデバイスのコンポーネントを示すブロック図である。いくつかの実施形態において、デバイスは、図８に少なくとも示されるように一緒に結合されたアプリケーション回路８０３、ベースバンド回路８０５、無線周波数（ＲＦ）回路８０７、フロントエンドモジュール（ＦＥＭ）回路８０９、及び１つ以上のアンテナ８１４を含むことができる。これらコンポーネントの任意の組み合わせ又はサブセットを、例えば、ＵＥデバイス又はｅＮｏｄｅＢデバイス内に含むことができる。
【００８１】
アプリケーション回路８０３は、１つ以上のアプリケーションプロセッサを含むことができる。非限定的な例として、アプリケーション回路８０３は、１つ以上のシングルコア又はマルチコアプロセッサを含むことができる。アプリケーション回路８０３は、汎用目的プロセッサ及び専用プロセッサ（例えば、グラフィックスプロセッサ、アプリケーションプロセッサ等）のうち任意の組み合わせを含むことができる。プロセッサは、メモリ／ストレージに動作可能に結合され、かつ／あるいはこれらを含むことができ、プロセッサは、メモリ／ストレージに記憶された命令を実行して、様々なアプリケーション及び／又はオペレーティングシステムがシステム上で作動することを可能にするように構成できる。
【００８２】
非限定的な例として、ベースバンド回路８０５は、１つ以上のシングルコア又はマルチコアプロセッサを含むことができる。ベースバンド回路８０５は、１つ以上のベースバンドプロセッサ及び／又は制御ロジックを含むことができる。ベースバンド回路８０５は、ＲＦ回路８０７の受信信号経路から受信されたベースバンド信号を処理するように構成できる。ベースバンド回路８０５は、さらに、ＲＦ回路８０７の送信信号経路のためのベースバンド信号を生成するように構成できる。ベースバンド回路８０５は、ベースバンド信号の生成及び処理のため、及び、ＲＦ回路８０７の動作を制御するために、アプリケーション回路８０３とインターフェースをとることができる。
【００８３】
非限定的な例として、ベースバンド回路８０５は、第２世代（２Ｇ）ベースバンドプロセッサ８１１Ａ、第３世代（３Ｇ）ベースバンドプロセッサ８１１Ｂ、第４世代（４Ｇ）ベースバンドプロセッサ８１１Ｃ、並びに、他の既存の世代及び開発中の又は将来開発される世代（例えば、第５世代（５Ｇ）、６Ｇ等）のための他のベースバンドプロセッサ８１１Ｄ、のうち少なくとも１つを含むことができる。ベースバンド回路８０５（例えば、ベースバンドプロセッサ８１１Ａ〜８１１Ｄのうち少なくとも１つ）は、ＲＦ回路８０７を介して１つ以上の無線ネットワークとの通信を可能にする様々な無線制御機能を扱うことができる。非限定的な例として、無線制御機能には、信号変調／復調、エンコーディング／デコーディング、無線周波数シフティング、他の機能、及びこれらの組み合わせを含むことができる。いくつかの実施形態において、ベースバンド回路８０５の変調／復調回路は、高速フーリエ変換（ＦＦＴ）、プリコーディング、コンスタレーションマッピング／デマッピング機能、他の機能、及びこれらの組み合わせを実行するようにプログラムできる。いくつかの実施形態において、ベースバンド回路８０５のエンコーディング／デコーディング回路は、畳み込み、テールバイティング（tail-biting）畳み込み、ターボ、ビタビ（Viterbi）、低密度パリティ検査（ＬＤＰＣ）エンコーダ／デコーダ機能、他の機能、及びこれらの組み合わせを実行するようにプログラムできる。変調／復調及びエンコーダ／デコーダ機能の実施形態はこれら例に限定されず、他の適切な機能を含んでもよい。
【００８４】
いくつかの実施形態において、ベースバンド回路８０５は、プロトコルスタックの要素を含むことができる。非限定的な例として、進化型ユニバーサルテレストリアル無線アクセスネットワーク（Ｅ‐ＵＴＲＡＮ）プロトコルの要素には、例えば、物理（physical）（ＰＨＹ）、メディアアクセス制御（media  access  control）（ＭＡＣ）、無線リンク制御（radio  link  control）（ＲＬＣ）、パケットデータ収束プロトコル（packet  data  convergence  protocol）（ＰＤＣＰ）、及び／又は無線リソース制御（ＲＲＣ）要素が含まれる。ベースバンド回路８０５の中央処理ユニット（ＣＰＵ）８１１Ｅは、ＰＨＹ、ＭＡＣ、ＲＬＣ、ＰＤＣＰ、及び／又はＲＲＣレイヤのシグナリングのためのプロトコルスタックの要素を作動させるようにプログラムできる。いくつかの実施形態において、ベースバンド回路８０５は、１つ以上のオーディオデジタルシグナルプロセッサ（ＤＳＰ）８１１Ｆを含むことができる。オーディオＤＳＰ８１１Ｆは、圧縮／伸張及びエコーキャンセレーションのための要素を含むことができる。オーディオＤＳＰ８１１Ｆは、他の適切な処理要素をさらに含んでもよい。
【００８５】
ベースバンド回路８０５は、メモリ／ストレージ８１１Ｇをさらに含むことができる。メモリ／ストレージ８１１Ｇは、該メモリ／ストレージ８１１Ｇに記憶された、ベースバンド回路８０５のプロセッサにより実行される動作のためのデータ及び／又は命令を含むことができる。いくつかの実施形態において、メモリ／ストレージ８１１Ｇは、適切な揮発メモリ及び／又は不揮発メモリの任意の組み合わせを含むことができる。メモリ／ストレージ８１１Ｇは、様々なレベルのメモリ／ストレージの任意の組み合わせをさらに含むことができ、該メモリ／ストレージには、これらに限られないが、ソフトウェア命令を組み込んだ読取専用メモリ（ＲＯＭ）（例えば、ファームウェア）、ランダムアクセスメモリ（例えば、ダイナミックランダムアクセスメモリ（ＤＲＡＭ））、キャッシュ、バッファ等が含まれる。いくつかの実施形態において、メモリ／ストレージ８１１Ｇは、様々なプロセッサ間で共有されてもよく、あるいは特定のプロセッサに対して専用にされてもよい。
【００８６】
ベースバンド回路８０５のコンポーネントは、単一のチップ又は単一のチップセットにおいて適切に組み合わせられてもよく、あるいはいくつかの実施形態において同じ回路ボード上に配設されてもよい。いくつかの実施形態において、ベースバンド回路８０５及びアプリケーション回路８０３の構成コンポーネントのうちいくつか又はすべてが、例えば、システムオンチップ（ＳＯＣ）上などに、一緒に実装されてもよい。
【００８７】
いくつかの実施形態において、ベースバンド回路８０５は、１つ以上の無線テクノロジーと互換性のある通信を提供することができる。例えば、いくつかの実施形態において、ベースバンド回路８０５は、進化型ユニバーサルテレストリアル無線アクセスネットワーク（Ｅ‐ＵＴＲＡＮ）、及び／又は他のワイヤレスメトロポリタンエリアネットワーク（ＷＭＡＮ）、ワイヤレスローカルエリアネットワーク（ＷＬＡＮ）、若しくはワイヤレスパーソナルエリアネットワーク（ＷＰＡＮ）との通信をサポートすることができる。ベースバンド回路８０５が２つ以上のワイヤレスプロトコルの無線通信をサポートするように構成される実施形態は、マルチモードベースバンド回路として参照されることがある。
【００８８】
ＲＦ回路８０７は、非固体媒体を通して、変調された電磁放射を用いて、ワイヤレスネットワークとの通信を可能にすることができる。様々な実施形態において、ＲＦ回路８０７は、スイッチ、フィルタ、増幅器等を含み、ワイヤレスネットワークとの通信を容易にすることができる。ＲＦ回路８０７は、受信信号経路を含むことができ、該受信信号経路は、ＦＥＭ回路８０９から受信されたＲＦ信号をダウンコンバートする回路を含み、ベースバンド信号をベースバンド回路８０５に提供することができる。ＲＦ回路８０７は、送信信号経路をさらに含むことができ、該送信信号経路は、ベースバンド回路８０５により提供されるベースバンド信号をアップコンバートする回路を含み、送信のためにＦＥＭ回路８０９にＲＦ出力信号を提供することができる。
【００８９】
いくつかの実施形態において、ＲＦ回路８０７は、受信信号経路及び送信信号経路を含むことができる。ＲＦ回路８０７の受信信号経路は、ミキサ回路８１３Ａ、増幅器回路８１３Ｂ、及びフィルタ回路８１３Ｃを含むことができる。ＲＦ回路８０７の送信信号経路は、フィルタ回路８１３Ｃ及びミキサ回路８１３Ａを含むことができる。ＲＦ回路８０７は、受信信号経路及び送信信号経路のミキサ回路８１３Ａによる使用のために周波数を合成するように構成されたシンセサイザ回路８１３Ｄをさらに含むことができる。いくつかの実施形態において、受信信号経路のミキサ回路８１３Ａは、シンセサイザ回路８１３Ｄにより提供される合成された周波数に基づいてＦＥＭ回路８０９から受信されたＲＦ信号をダウンコンバートするように構成できる。増幅器回路８１３Ｂは、ダウンコンバートされた信号を増幅するように構成できる。
【００９０】
フィルタ回路８１３Ｃは、ダウンコンバートされた信号から望まれない信号を取り除いて出力ベースバンド信号を生成するように構成されたローパスフィルタ（ＬＰＦ）又はバンドパスフィルタ（ＢＰＦ）を含むことができる。出力ベースバンド信号は、さらなる処理のためにベースバンド回路８０５に対して提供できる。いくつかの実施形態において、出力ベースバンド信号はゼロ周波数ベースバンド信号を含むことができるが、このことは要件ではない。いくつかの実施形態において、受信信号経路のミキサ回路８１３Ａはパッシブミキサを含むことができるが、実施形態の範囲はこの点において限定されない。
【００９１】
いくつかの実施形態において、送信信号経路のミキサ回路８１３Ａは、シンセサイザ回路８１３Ｄにより提供される合成された周波数に基づいて入力ベースバンド信号をアップコンバートしてＦＥＭ回路８０９のためのＲＦ出力信号を生成するように構成できる。ベースバンド信号は、ベースバンド回路８０５により提供されることができ、フィルタ回路８１３Ｃによりフィルタリングされてもよい。フィルタ回路８１３Ｃはローパスフィルタ（ＬＰＦ）を含むことができるが、実施形態の範囲はこの点において限定されない。
【００９２】
いくつかの実施形態において、受信信号経路のミキサ回路８１３Ａと送信信号経路のミキサ回路８１３Ａとは、２つ以上のミキサを含んでもよく、それぞれ、直交ダウンコンバージョン及び／又はアップコンバージョンについて配置されてもよい。いくつかの実施形態において、受信信号経路のミキサ回路８１３Ａと送信信号経路のミキサ回路８１３Ａとは、２つ以上のミキサを含んでもよく、イメージ除去（例えば、ハートレー（Hartley）イメージ除去）について配置されてもよい。いくつかの実施形態において、受信信号経路のミキサ回路８１３Ａと送信信号経路のミキサ回路８１３Ａとは、それぞれ、ダイレクトダウンコンバージョン及び／又はダイレクトアップコンバージョンについて配置されてもよい。いくつかの実施形態において、受信信号経路のミキサ回路８１３Ａと送信信号経路のミキサ回路８１３Ａとは、スーパーヘテロダイン動作について構成されてもよい。
【００９３】
いくつかの実施形態において、出力ベースバンド信号及び入力ベースバンド信号はアナログベースバンド信号であり得るが、実施形態の範囲はこの点において限定されない。いくつかの別の実施形態において、出力ベースバンド信号及び入力ベースバンド信号はデジタルベースバンド信号であり得る。こうした実施形態において、ＲＦ回路８０７は、アナログツーデジタルコンバータ（ＡＤＣ）及びデジタルツーアナログコンバータ（ＤＡＣ）回路を含んでもよく、ベースバンド回路８０５は、ＲＦ回路８０７と通信するデジタルベースバンドインターフェースを含んでもよい。
【００９４】
いくつかのデュアルモードの実施形態において、各スペクトルについて信号を処理するために別個の無線ＩＣ回路が提供されてもよいが、実施形態の範囲はこの点において限定されない。
【００９５】
いくつかの実施形態において、シンセサイザ回路８１３Ｄは、フラクショナルＮ（fractional-N）シンセサイザ及びフラクショナルＮ／Ｎ＋１（fractional  N/N+1）シンセサイザのうち１つ以上を含むことができるが、他タイプの周波数シンセサイザが適する可能性もあるため、実施形態の範囲はこの点において限定されない。例えば、シンセサイザ回路８１３Ｄは、デルタシグマシンセサイザ、周波数逓倍器、周波数分周器を有する位相ロックループを含むシンセサイザ、他のシンセサイザ、及びこれらの組み合わせを含むことができる。
【００９６】
シンセサイザ回路８１３Ｄは、周波数入力及び分周器制御入力に基づいてＲＦ回路８０７のミキサ回路８１３Ａによる使用のために出力周波数を合成するように構成できる。いくつかの実施形態において、シンセサイザ回路８１３Ｄは、フラクショナルＮ／Ｎ＋１シンセサイザであり得る。
【００９７】
いくつかの実施形態において、周波数入力は電圧制御発振器（ＶＣＯ）により提供できるが、このことは要件ではない。分周器制御入力は、所望される出力周波数に依存して、ベースバンド回路８０５又はアプリケーション回路８０３のいずれかにより提供できる。いくつかの実施形態において、分周器制御入力（例えば、Ｎ）は、アプリケーション回路８０３により示されるチャネルに基づいてルックアップテーブルから決定できる。
【００９８】
ＲＦ回路８０７のシンセサイザ回路８１３Ｄは、分周器、遅延ロックループ（ＤＬＬ）、マルチプレクサ、及び位相アキュムレータを含むことができる。いくつかの実施形態において、分周器は、デュアルモジュラス分周器（dual  modulus  divider）（ＤＭＤ）を含むことができ、位相アキュムレータは、デジタル位相アキュムレータ（ＤＰＡ）を含むことができる。いくつかの実施形態において、ＤＭＤは、（例えば、キャリーアウトに基づいて）Ｎ又はＮ＋１のいずれかで入力信号を分周し（divide）て分数の分周比を提供するように構成できる。いくつかの例示的な実施形態において、ＤＬＬは、カスケードされた調整可能な遅延素子のセット；位相検出器；チャージポンプ；及びＤ型フリップフロップを含むことができる。こうした実施形態において、遅延素子は、ＶＣＯ周期をＮｄ個の等しいくくり（equal  packets）のフェーズに分けるように構成でき、ここで、Ｎｄは、遅延ライン内の遅延素子の数である。このように、ＤＬＬは、負のフィードバックを提供して、遅延ラインを通した合計遅延が１つのＶＣＯサイクルであることを確保するのに役立つことができる。
【００９９】
いくつかの実施形態において、シンセサイザ回路８１３Ｄは、出力周波数としてキャリア周波数を生成するように構成できる。いくつかの実施形態において、出力周波数は、キャリア周波数の倍数（例えば、キャリア周波数の２倍、キャリア周波数の４倍等）であり、キャリア周波数において互いに関して複数の異なる位相を有する複数の信号を生成するように直交生成器及び分周器回路と関連して使用されてもよい。いくつかの実施形態において、出力周波数は、ＬＯ周波数（ｆＬＯ）であり得る。いくつかの実施形態において、ＲＦ回路８０７は、ＩＱ／ポーラ（polar）コンバータを含むことができる。
【０１００】
ＦＥＭ回路８０９は、受信信号経路を含むことができ、該受信信号経路は、１つ以上のアンテナ８１４から受信されたＲＦ信号に対して動作し、受信された信号を増幅し、かつさらなる処理のためにＲＦ回路８０７に対して受信された信号の増幅されたバージョンを提供するように構成された回路を含むことができる。ＦＥＭ回路８０９は、送信信号経路をさらに含むことができ、該送信信号経路は、１つ以上のアンテナ８１４のうち少なくとも１つによる送信のためにＲＦ回路８０７により提供された送信のための信号を増幅するように構成された回路を含むことができる。
【０１０１】
いくつかの実施形態において、ＦＥＭ回路８０９は、送信モード及び受信モード動作間で切り替わるように構成されたＴＸ／ＲＸスイッチを含むことができる。ＦＥＭ回路８０９は、受信信号経路及び送信信号経路を含むことができる。ＦＥＭ回路８０９の受信信号経路は、受信されたＲＦ信号を増幅し、かつ出力として（例えば、ＲＦ回路８０７に対して）増幅された受信されたＲＦ信号を提供する低雑音増幅器（ＬＮＡ）を含むことができる。ＦＥＭ回路８０９の送信信号経路は、（例えば、ＲＦ回路８０７により提供される）入力ＲＦ信号を増幅するように構成された電力増幅器（ＰＡ）と、（例えば、１つ以上のアンテナ８１４のうち１つ以上による）後の送信のためにＲＦ信号を生成するように構成された１つ以上のフィルタとを含むことができる。
【０１０２】
いくつかの実施形態において、デバイスは、さらなる要素、例えば、メモリ／記憶装置、ディスプレイ、カメラ、１つ以上のセンサ、入力／出力（Ｉ／Ｏ）インターフェース、他の要素、及びこれらの組み合わせなどを含むことができる。
【０１０３】
いくつかの実施形態において、デバイスは、本明細書において説明された１つ以上の処理、手法、及び／又は方法、又はこれらの一部を実行するように構成できる。
【０１０４】
図９は、いくつかの例示的な実施形態に従う、マシン読取可能又はコンピュータ読取可能媒体（例えば、マシン読取可能記憶媒体）から命令を読み出し、かつ本明細書に論じられた方法論のうち任意の１つ以上を実行することができるコンポーネントを示すブロック図である。具体的に、図９は、ハードウェアリソース９００の図表現を示し、ハードウェアリソース９００は、１つ以上のプロセッサ（又は、プロセッサコア）９１０、１つ以上のメモリ／ストレージデバイス９２０、及び１つ以上の通信リソース９３０を含み、これらのすべてがバス９４０を介して通信可能に結合される。
【０１０５】
プロセッサ９１０（例えば、中央処理ユニット（ＣＰＵ）、縮小命令セットコンピューティング（ＲＩＳＣ）プロセッサ、複合命令セットコンピューティング（ＣＩＳＣ）プロセッサ、グラフィックス処理ユニット（ＧＰＵ）、デジタルシグナルプロセッサ（ＤＳＰ）、例えばベースバンドプロセッサなど、特定用途向け集積回路（ＡＳＩＣ）、無線周波数集積回路（ＲＦＩＣ）、他のプロセッサ、又はこれらのうち任意の適切な組み合わせ）は、例えば、プロセッサ９１２及びプロセッサ９１４を含むことができる。メモリ／ストレージデバイス９２０は、メインメモリ、ディスクストレージ、又はこれらのうち任意の適切な組み合わせを含むことができる。
【０１０６】
通信リソース９３０は、相互接続及び／又はネットワークインターフェースコンポーネント、又は他の適切なデバイスを含み、１つ以上の周辺デバイス９０４と、及び／又はネットワーク９０８を介して１つ以上のデータベース９１１と通信することができる。例えば、通信リソース９３０は、（例えば、ユニバーサルシリアルバス（ＵＳＢ）を介して結合する）有線の通信コンポーネント、セルラー通信コンポーネント、近距離通信（ＮＦＣ）コンポーネント、Ｂｌｕｅｔｏｏｔｈ（登録商標）コンポーネント（例えば、Ｂｌｕｅｔｏｏｔｈ（登録商標）  Ｌｏｗ  Ｅｎｅｒｇｙ）、Ｗｉ‐Ｆｉ（登録商標）コンポーネント、及び他の通信コンポーネントを含むことができる。
【０１０７】
命令９５０が、プロセッサ９１０のうち少なくとも１つに本明細書に論じられる方法論のうち任意の１つ以上を実行させるソフトウェア、プログラム、アプリケーション、アプレット、アプリ、又は他の実行可能コードを含むことができる。命令９５０は、プロセッサ９１０の少なくとも１つ（例えば、プロセッサのキャッシュメモリ内）、メモリ／ストレージデバイス９２０、又はこれらのうち任意の適切な組み合わせの中に、完全に又は部分的に存在することがある。さらに、命令９５０のうち任意の部分が、周辺デバイス９０４及び／又はデータベース９１１のうち任意の組み合わせからハードウェアリソース９００に転送されてもよい。したがって、プロセッサ９１０のメモリ、メモリ／ストレージデバイス９２０、周辺デバイス９０４、及びデータベース９１１が、コンピュータ読取可能及びマシン読取可能媒体の例である。
【０１０８】
例示的な実施形態
例１は、進化型ノードＢ（ｅＮｏｄｅＢ）の装置であって、ＵＥから受信された上りリンクデータをデコードし、上記デコードされた上りリンクデータから、上記ＵＥに対応するデバイスプロファイルにアクセスし、上記デバイスプロファイルに基づいて、ＥＰＣネットワークに対して上記ＵＥが有するアクセスを構成するように構成された電子メモリ及び１つ以上のプロセッサを含む装置である。
【０１０９】
例２において、例１の構成要件、又は本明細書に説明される例のうち任意のものが、上記ＵＥを構成して上記ＥＰＣネットワークに対して上記ＵＥが有する上記アクセスを構成するようにさらに構成された１つ以上のプロセッサをさらに含むことができる。
【０１１０】
例３において、例１の構成要件、又は本明細書に説明される例のうち任意のものが、上記１つ以上のプロセッサは、上記ＥＰＣネットワークを構成して上記ＥＰＣネットワークに対して上記ＵＥが有する上記アクセスを構成するようにさらに構成される、ことをさらに含むことができる。
【０１１１】
例４において、例１の構成要件、又は本明細書に説明される例のうち任意のものが、上記ＥＰＣネットワークに対して上記ＵＥが有する上記アクセスは、上記ＥＰＣネットワークに対するアクセスを上記ＵＥに提供するように上記ＥＰＣネットワークにより実施されるランダムアクセス構成、上記ＵＥのために実施されるシグナリングメカニズム、上記ＵＥのためにサポートされる無線リソース制御（ＲＲＣ）手順及び非アクセス層（ＮＡＳ）手順、上記ＵＥのためにサポートされる種類の接続、又は、上記ＵＥがアクセスを有する上記ＥＰＣネットワークのスライス、のうち少なくとも１つ以上を含むところの当該装置をさらに含むことができる。
【０１１２】
例５において、例１の構成要件、又は本明細書に説明される例のうち任意のものが、上記デバイスプロファイルは、モビリティコンポーネント、リーチャビリティコンポーネント、電源コンポーネント、グループコンポーネント、予期バッテリ寿命コンポーネント、時間制御コンポーネント、モビリティ制限コンポーネント、データアクティビティコンポーネント、エマージェンシーコンポーネント、セキュリティコンポーネント、無線インターフェースコンポーネント、専用通信コンポーネント、又は、専用ネットワークコンポーネント、のうち１つ以上を含むところの当該装置をさらに含むことができる。
【０１１３】
例６において、例５の構成要件、又は本明細書に説明される例のうち任意のものが、上記モビリティコンポーネントは、移動性の値、固定的の値、又は高速移動の値、のうち１つを含むところの当該装置をさらに含むことができる。
【０１１４】
例７において、例５の構成要件、又は本明細書に説明される例のうち任意のものが、上記リーチャビリティコンポーネントは、モバイル発信（ＭＯ）サービスの値、ページングをサポートせずの値、又はモバイル着信（ＭＴ）サービスの値、のうち１つを含むところの当該装置をさらに含むことができる。
【０１１５】
例８において、例５の構成要件、又は本明細書に説明される例のうち任意のものが、上記電源コンポーネントは、短期間バッテリで作動するデバイスの値、長期間バッテリで作動するデバイスの値、電源に接続されたデバイスの値、又は、時々充電されるデバイスの値、のうち１つを含むところの当該装置をさらに含むことができる。
【０１１６】
例９において、例５の構成要件、又は本明細書に説明される例のうち任意のものが、上記グループコンポーネントは、グループの一部でありスタンドアロンモードで動作しないデバイスの値、又は、スタンドアロンモードで動作することができるデバイスの値、のうち１つを含むところの当該装置をさらに含むことができる。
【０１１７】
例１０において、例５の構成要件、又は本明細書に説明される例のうち任意のものが、上記予期バッテリ寿命コンポーネントは、第１時間期間バッテリライフの値、又は第２期間バッテリライフの値、のうち１つを含むところの当該装置をさらに含むことができる。
【０１１８】
例１１において、例５の構成要件、又は本明細書に説明される例のうち任意のものが、上記時間制御コンポーネントは、制限送信の値、又は非制限送信の値、のうち１つを含むところの当該装置をさらに含むことができる。
【０１１９】
例１２において、例５の構成要件、又は本明細書に説明される例のうち任意のものが、上記モビリティ制限コンポーネントは、エリアの値、経路の値、又はロケーションの値、のうち１つを含むところの当該装置をさらに含むことができる。
【０１２０】
例１３において、例５の構成要件、又は本明細書に説明される例のうち任意のものが、上記データアクティビティコンポーネントは、周期的データバーストの値、又は非周期的データバーストの値、のうち１つを含むところの当該装置をさらに含むことができる。
【０１２１】
例１４において、例５の構成要件、又は本明細書に説明される例のうち任意のものが、上記エマージェンシーコンポーネントは、高優先順位の値、又は低優先順位の値、のうち１つを含むところの当該装置をさらに含むことができる。
【０１２２】
例１５において、例５の構成要件、又は本明細書に説明される例のうち任意のものが、上記セキュリティコンポーネントは、低セキュリティの値、ベースラインセキュリティの値、又は高セキュリティの値、のうち１つを含むところの当該装置をさらに含むことができる。
【０１２３】
例１６において、例５の構成要件、又は本明細書に説明される例のうち任意のものが、上記無線インターフェースコンポーネントは、デバイスツーデバイス（Ｄ２Ｄ）の値、デバイスツーインフラストラクチャ（Ｄ２Ｉ）の値、ＷｉＦｉの値、Ｂｌｕｅｔｏｏｔｈの値、又は車両通信の値、のうち１つを含むところの当該装置をさらに含むことができる。
【０１２４】
例１７において、例５の構成要件、又は本明細書に説明される例のうち任意のものが、上記専用通信コンポーネントは、予め定義されたアクセスポイントネットワーク（ＡＰＮ）の値、又は複数ＡＰＮの値、のうち１つを含むところの当該装置をさらに含むことができる。
【０１２５】
例１８において、例５の構成要件、又は本明細書に説明される例のうち任意のものが、上記専用ネットワークコンポーネントは、特定ネットワークの値、又は汎用ＥＰＣネットワークの値、のうち１つを含むところの当該装置をさらに含むことができる。
【０１２６】
例１９は、ＵＥの装置であって、上記ＵＥの挙動を特徴づけるデバイスプロファイルコンポーネントを含む１つ以上のデバイスプロファイルを記憶し、ｅＮｏｄｅＢのために、上記１つ以上のデバイスプロファイルを含む上りリンクデータを生成し、上記ｅＮｏｄｅＢから受信された、上記１つ以上のデバイスプロファイルに基づく複数の構成を含む下りリンクデータをデコードし、上記複数の構成に基づいて上記ＵＥを構成するように構成された１つ以上のベースバンドプロセッサを含む装置である。
【０１２７】
例２０において、例１９の構成要件、又は本明細書に説明される例のうち任意のものが、上記デバイスプロファイルコンポーネントは静的であり、上記デバイスプロファイルコンポーネントのいずれに割り当てられる値も静的であるところの当該装置をさらに含むことができる。
【０１２８】
例２１において、例１９の構成要件、又は本明細書に説明される例のうち任意のものが、上記デバイスプロファイルコンポーネントは動的であり、上記デバイスプロファイルコンポーネントのいずれに割り当てられる値もある時間にわたり動的であるところの当該装置をさらに含むことができる。
【０１２９】
例２２において、例１９の構成要件、又は本明細書に説明される例のうち任意のものが、上記デバイスプロファイルコンポーネントは半静的であり、上記デバイスプロファイルコンポーネントのいずれに割り当てられる値も限定されるところの当該装置をさらに含むことができる。
【０１３０】
例２３において、例１９の構成要件、又は本明細書に説明される例のうち任意のものが、上記ＵＥは、所与の時間に１つのデバイスプロファイルに関連付けられるところの当該装置をさらに含むことができる。
【０１３１】
例２４において、例１９の構成要件、又は本明細書に説明される例のうち任意のものが、上記ＵＥは、所与の時間に２つ以上のデバイスプロファイルに関連付けられるところの当該装置をさらに含むことができる。
【０１３２】
例２５において、例１９の構成要件、又は本明細書に説明される例のうち任意のものが、上記１つ以上のベースバンドプロセッサは、上記１つ以上のデバイスプロファイルから、上記ＵＥの進化型パケットコア（ＥＰＣ）ネットワークとの初期登録の間に使用するためのデバイスプロファイルを選択するようにさらに構成されるところの当該装置をさらに含むことができる。
【０１３３】
例２６において、例２５の構成要件、又は本明細書に説明される例のうち任意のものが、上記１つ以上のベースバンドプロセッサは、上記ＥＰＣネットワークのためのデバイスプロファイル選択を生成するようにさらに構成されるところの当該装置をさらに含むことができる。
【０１３４】
例２７において、例２６の構成要件、又は本明細書に説明される例のうち任意のものが、上記ＥＰＣネットワークのためのデバイスプロファイル選択を生成するように構成された上記１つ以上のベースバンドプロセッサは、アタッチ要求及びトラッキングエリアアップデート要求メッセージのうち少なくとも１つを介して上記デバイスプロファイル選択を生成するようにさらに構成されるところの当該装置をさらに含むことができる。
【０１３５】
例２８において、例１９の構成要件、又は本明細書に説明される例のうち任意のものが、上記１つ以上のベースバンドプロセッサは、サービス要求メッセージを介してサービス確立の間に使用するための上記デバイスプロファイルを選択するようにさらに構成されるところの当該装置をさらに含むことができる。
【０１３６】
例２９において、例１９の構成要件、又は本明細書に説明される例のうち任意のものが、上記１つ以上のベースバンドプロセッサは、上記１つ以上のデバイスプロファイルから、無線リソース制御（ＲＲＣ）接続確立の間に使用するための上記デバイスプロファイルを選択するようにさらに構成されるところの当該装置をさらに含むことができる。
【０１３７】
例３０において、例１９の構成要件、又は本明細書に説明される例のうち任意のものが、上記１つ以上のベースバンドプロセッサは、上記１つ以上の記憶されたデバイスプロファイルから上記デバイスプロファイルを選択し、上記ＥＰＣのためのデバイスプロファイル選択を生成し、上記ＵＥに関連付けられたＵＥ能力情報を含む、上記ＥＰＣネットワークのための上りリンクデータを生成するようにさらに構成されるところの当該装置をさらに含むことができる。
【０１３８】
例３１において、例３０の構成要件、又は本明細書に説明される例のうち任意のものが、上記ＵＥ能力情報は、ＵＥ能力メッセージを介して提供されるところの当該装置をさらに含むことができる。
【０１３９】
例３２は、命令を記憶させたコンピュータ読取可能記憶媒体であって、上記命令はコンピューティングデバイスにより実施されると、上記コンピューティングデバイスに、複数のデバイスプロファイルを記憶することと、上記複数のデバイスプロファイルからデバイスプロファイルを選択することと、上記選択されたデバイスプロファイルに基づいて、ＥＰＣネットワークに対して複数のＵＥが有するアクセスを構成することと、をさせるコンピュータ読取可能記憶媒体である。
【０１４０】
例３３において、例３２の構成要件、又は本明細書に説明される例のうち任意のものが、上記ＥＰＣネットワークは、少なくとも上記選択されたデバイスプロファイルで構成されたＵＥについて、上記ＥＰＣネットワークに対するアクセスを禁止するところの当該コンピュータ読取可能記憶媒体をさらに含むことができる。
【０１４１】
例３４において、例３２の構成要件、又は本明細書に説明される例のうち任意のものが、上記ＥＰＣネットワークは、上記選択されたデバイスプロファイルと通信タイプとで構成されたＵＥについて、上記ＥＰＣネットワークに対するアクセスを禁止するところの当該コンピュータ読取可能記憶媒体をさらに含むことができる。
【０１４２】
例３５において、例３２の構成要件、又は本明細書に説明される例のうち任意のものが、上記ＥＰＣネットワークは、上記選択されたデバイスプロファイルで構成され、かつサービス及びアプリケーションのタイプのうち少なくとも１つをサポートするために上記ＥＰＣに対するアクセスを要求するＵＥについて、上記ＥＰＣネットワークに対するアクセスを禁止するところの当該コンピュータ読取可能記憶媒体をさらに含むことができる。
【０１４３】
例３６において、例３２の構成要件、又は本明細書に説明される例のうち任意のものが、上記ＥＰＣネットワークは、上記選択されたデバイスプロファイルと通信タイプとで構成され、かつサービス及びアプリケーションのタイプのうち少なくとも１つをサポートするために上記ＥＰＣに対するアクセスを要求するＵＥについて、上記ＥＰＣネットワークに対するアクセスを禁止するところの当該コンピュータ読取可能記憶媒体をさらに含むことができる。
【０１４４】
例３７において、例３２の構成要件、又は本明細書に説明される例のうち任意のものが、上記ＥＰＣネットワークは、選択されたデバイスプロファイルに少なくとも基づいて上記ＥＰＣネットワークにアクセスすることを禁止されたデバイスの少なくとも１つのタイプをブロードキャストするＲＡＮノードを含むところの当該コンピュータ読取可能記憶媒体をさらに含むことができる。
【０１４５】
例３８において、例３２の構成要件、又は本明細書に説明される例のうち任意のものが、上記命令は、前記選択されたデバイスプロファイルで構成されたＵＥを、前記ＥＰＣネットワークに対するアクセスを禁止するように構成することを、上記コンピューティングデバイスにさらにさせるところの当該コンピュータ読取可能記憶媒体をさらに含むことができる。
【０１４６】
例３９は、ＵＥから受信された上りリンクデータをデコードすることと、上記デコードされた上りリンクデータから、上記ＵＥに対応するデバイスプロファイルにアクセスすることと、上記デバイスプロファイルに基づいて、進化型パケットコア（ＥＰＣ）ネットワークに対して上記ＵＥが有するアクセスを構成することと、を含む方法である。
【０１４７】
例４０において、例３９の構成要件、又は本明細書に説明される例のうち任意のものが、上記ＵＥを構成して上記ＥＰＣネットワークに対して上記ＵＥが有する上記アクセスを構成すること、をさらに含む当該方法をさらに含むことができる。
【０１４８】
例４１において、例３９の構成要件、又は本明細書に説明される例のうち任意のものが、上記ＥＰＣネットワークを構成して上記ＥＰＣネットワークに対して上記ＵＥが有する上記アクセスを構成すること、をさらに含む当該方法をさらに含むことができる。
【０１４９】
例４２において、例３９の構成要件、又は本明細書に説明される例のうち任意のものが、上記ＥＰＣネットワークに対して上記ＵＥが有する上記アクセスは、上記ＥＰＣネットワークに対するアクセスを上記ＵＥに提供するように上記ＥＰＣネットワークにより実施されるランダムアクセス構成、上記ＵＥのために実施されるシグナリングメカニズム、上記ＵＥのためにサポートされる無線リソース制御（ＲＲＣ）手順及び非アクセス層（ＮＡＳ）手順、上記ＵＥのためにサポートされる種類の接続、又は、上記ＵＥがアクセスを有する上記ＥＰＣネットワークのスライス、のうち少なくとも１つ以上を含むところの当該方法をさらに含むことができる。
【０１５０】
例４３において、例３９の構成要件、又は本明細書に説明される例のうち任意のものが、上記デバイスプロファイルは、モビリティコンポーネント、リーチャビリティコンポーネント、電源コンポーネント、グループコンポーネント、予期バッテリ寿命コンポーネント、時間制御コンポーネント、モビリティ制限コンポーネント、データアクティビティコンポーネント、エマージェンシーコンポーネント、セキュリティコンポーネント、無線インターフェースコンポーネント、専用通信コンポーネント、又は、専用ネットワークコンポーネント、のうち１つ以上を含むところの当該方法をさらに含むことができる。
【０１５１】
例４４において、例４３の構成要件、又は本明細書に説明される例のうち任意のものが、上記モビリティコンポーネントは、移動性の値、固定的の値、又は高速移動の値、のうち１つを含むところの当該方法をさらに含むことができる。
【０１５２】
例４５において、例４３の構成要件、又は本明細書に説明される例のうち任意のものが、上記リーチャビリティコンポーネントは、モバイル発信（ＭＯ）サービスの値、ページングをサポートせずの値、又はモバイル着信（ＭＴ）サービスの値、のうち１つを含むところの当該方法をさらに含むことができる。
【０１５３】
例４６において、例４３の構成要件、又は本明細書に説明される例のうち任意のものが、上記電源コンポーネントは、短期間バッテリで作動するデバイスの値、長期間バッテリで作動するデバイスの値、電源に接続されたデバイスの値、又は、時々充電されるデバイスの値、のうち１つを含むところの当該方法をさらに含むことができる。
【０１５４】
例４７において、例４３の構成要件、又は本明細書に説明される例のうち任意のものが、上記グループコンポーネントは、グループの一部でありスタンドアロンモードで動作しないデバイスの値、又は、スタンドアロンモードで動作することができるデバイスの値、のうち１つを含むところの当該方法をさらに含むことができる。
【０１５５】
例４８において、例４３の構成要件、又は本明細書に説明される例のうち任意のものが、上記予期バッテリ寿命コンポーネントは、第１時間期間バッテリライフの値、又は第２期間バッテリライフの値、のうち１つを含むところの当該方法をさらに含むことができる。
【０１５６】
例４９において、例４３の構成要件、又は本明細書に説明される例のうち任意のものが、上記時間制御コンポーネントは、制限送信の値、又は非制限送信の値、のうち１つを含むところの当該方法をさらに含むことができる。
【０１５７】
例５０において、例４３の構成要件、又は本明細書に説明される例のうち任意のものが、上記モビリティ制限コンポーネントは、エリアの値、経路の値、又はロケーションの値、のうち１つを含むところの当該方法をさらに含むことができる。
【０１５８】
例５１において、例４３の構成要件、又は本明細書に説明される例のうち任意のものが、上記データアクティビティコンポーネントは、周期的データバーストの値、又は非周期的データバーストの値、のうち１つを含むところの当該方法をさらに含むことができる。
【０１５９】
例５２において、例４３の構成要件、又は本明細書に説明される例のうち任意のものが、上記エマージェンシーコンポーネントは、高優先順位の値、又は低優先順位の値、のうち１つを含むところの当該方法をさらに含むことができる。
【０１６０】
例５３において、例４３の構成要件、又は本明細書に説明される例のうち任意のものが、上記セキュリティコンポーネントは、低セキュリティの値、ベースラインセキュリティの値、又は高セキュリティの値、のうち１つを含むところの当該方法をさらに含むことができる。
【０１６１】
例５４において、例４３の構成要件、又は本明細書に説明される例のうち任意のものが、上記無線インターフェースコンポーネントは、デバイスツーデバイス（Ｄ２Ｄ）の値、デバイスツーインフラストラクチャ（Ｄ２Ｉ）の値、ＷｉＦｉの値、Ｂｌｕｅｔｏｏｔｈの値、又は車両通信の値、のうち１つを含むところの当該方法をさらに含むことができる。
【０１６２】
例５５において、例４３の構成要件、又は本明細書に説明される例のうち任意のものが、上記専用通信コンポーネントは、予め定義されたアクセスポイントネットワーク（ＡＰＮ）の値、又は複数ＡＰＮの値、のうち１つを含むところの当該方法をさらに含むことができる。
【０１６３】
例５６において、例４３の構成要件、又は本明細書に説明される例のうち任意のものが、上記専用ネットワークコンポーネントは、特定ネットワークの値、又は汎用ＥＰＣネットワークの値、のうち１つを含むところの当該方法をさらに含むことができる。
【０１６４】
例５７は、ＵＥの挙動を特徴づけるデバイスプロファイルコンポーネントを含む１つ以上のデバイスプロファイルを記憶することと、ｅＮｏｄｅＢのために、上記１つ以上のデバイスプロファイルを含む上りリンクデータを生成することと、上記ｅＮｏｄｅＢから受信された、上記１つ以上のデバイスプロファイルに基づく複数の構成を含む下りリンクデータをデコードすることと、上記複数の構成に基づいて上記ＵＥを構成することと、を含む方法である。
【０１６５】
例５８において、例５７の構成要件、又は本明細書に説明される例のうち任意のものが、上記デバイスプロファイルコンポーネントは静的であり、上記デバイスプロファイルコンポーネントのいずれに割り当てられる値も静的であるところの当該方法をさらに含むことができる。
【０１６６】
例５９において、例５７の構成要件、又は本明細書に説明される例のうち任意のものが、上記デバイスプロファイルコンポーネントは動的であり、上記デバイスプロファイルコンポーネントのいずれに割り当てられる値もある時間にわたり動的であるところの当該方法をさらに含むことができる。
【０１６７】
例６０において、例５７の構成要件、又は本明細書に説明される例のうち任意のものが、上記デバイスプロファイルコンポーネントは半静的であり、上記デバイスプロファイルコンポーネントのいずれに割り当てられる値も限定されるところの当該方法をさらに含むことができる。
【０１６８】
例６１において、例５７の構成要件、又は本明細書に説明される例のうち任意のものが、上記ＵＥは、所与の時間に１つのデバイスプロファイルに関連付けられるところの当該方法をさらに含むことができる。
【０１６９】
例６２において、例５７の構成要件、又は本明細書に説明される例のうち任意のものが、上記ＵＥは、所与の時間に２つ以上のデバイスプロファイルに関連付けられるところの当該方法をさらに含むことができる。
【０１７０】
例６３において、例５７の構成要件、又は本明細書に説明される例のうち任意のものが、上記１つ以上のデバイスプロファイルから、上記ＵＥの進化型パケットコア（ＥＰＣ）ネットワークとの初期登録の間に使用するためのデバイスプロファイルを選択すること、をさらに含む当該方法をさらに含むことができる。
【０１７１】
例６４において、例６３の構成要件、又は本明細書に説明される例のうち任意のものが、上記ＥＰＣネットワークのためのデバイスプロファイル選択を生成すること、をさらに含む当該方法をさらに含むことができる。
【０１７２】
例６５において、例６４の構成要件、又は本明細書に説明される例のうち任意のものが、上記ＥＰＣネットワークのためのデバイスプロファイル選択を生成することは、アタッチ要求及びトラッキングエリアアップデート要求メッセージのうち少なくとも１つを介して上記デバイスプロファイル選択を生成することをさらに含むところの当該方法をさらに含むことができる。
【０１７３】
例６６において、例５７の構成要件、又は本明細書に説明される例のうち任意のものが、サービス要求メッセージを介してサービス確立の間に使用するための上記デバイスプロファイルを選択すること、をさらに含む当該方法をさらに含むことができる。
【０１７４】
例６７において、例５７の構成要件、又は本明細書に説明される例のうち任意のものが、上記１つ以上のデバイスプロファイルから、無線リソース制御（ＲＲＣ）接続確立の間に使用するための上記デバイスプロファイルを選択すること、をさらに含む当該方法をさらに含むことができる。
【０１７５】
例６８において、例６７の構成要件、又は本明細書に説明される例のうち任意のものが、上記１つ以上の記憶されたデバイスプロファイルから上記デバイスプロファイルを選択することと、上記ＥＰＣのためのデバイスプロファイル選択を生成することと、上記ＵＥに関連付けられたＵＥ能力情報を含む、上記ＥＰＣネットワークのための上りリンクデータを生成することと、をさらに含む当該方法をさらに含むことができる。
【０１７６】
例６９において、例６８の構成要件、又は本明細書に説明される例のうち任意のものが、上記ＵＥ能力情報は、ＵＥ能力メッセージを介して提供されるところの当該方法をさらに含むことができる。
【０１７７】
例７０は、複数のデバイスプロファイルを記憶することと、上記複数のデバイスプロファイルからデバイスプロファイルを選択することと、上記選択されたデバイスプロファイルに基づいて、ＥＰＣネットワークに対して複数のＵＥが有するアクセスを構成することと、を含む方法である。
【０１７８】
例７１において、例７０の構成要件、又は本明細書に説明される例のうち任意のものが、上記ＥＰＣネットワークは、少なくとも上記選択されたデバイスプロファイルで構成されたＵＥについて、上記ＥＰＣネットワークに対するアクセスを禁止するところの当該方法をさらに含むことができる。
【０１７９】
例７２において、例７０の構成要件、又は本明細書に説明される例のうち任意のものが、上記ＥＰＣネットワークは、上記選択されたデバイスプロファイルと通信タイプとで構成されたＵＥについて、上記ＥＰＣネットワークに対するアクセスを禁止するところの当該方法をさらに含むことができる。
【０１８０】
例７３において、例７０の構成要件、又は本明細書に説明される例のうち任意のものが、上記ＥＰＣネットワークは、上記選択されたデバイスプロファイルで構成され、かつサービス及びアプリケーションのタイプのうち少なくとも１つをサポートするために上記ＥＰＣに対するアクセスを要求するＵＥについて、上記ＥＰＣネットワークに対するアクセスを禁止するところの当該方法をさらに含むことができる。
【０１８１】
例７４において、例７０の構成要件、又は本明細書に説明される例のうち任意のものが、上記ＥＰＣネットワークは、上記選択されたデバイスプロファイルと通信タイプとで構成され、かつサービス及びアプリケーションのタイプのうち少なくとも１つをサポートするために上記ＥＰＣに対するアクセスを要求するＵＥについて、上記ＥＰＣネットワークに対するアクセスを禁止するところの当該方法をさらに含むことができる。
【０１８２】
例７５において、例７０の構成要件、又は本明細書に説明される例のうち任意のものが、上記ＥＰＣネットワークは、選択されたデバイスプロファイルに少なくとも基づいて上記ＥＰＣネットワークにアクセスすることを禁止されたデバイスの少なくとも１つのタイプをブロードキャストするＲＡＮノードを含むところの当該方法をさらに含むことができる。
【０１８３】
例７６において、例７０の構成要件、又は本明細書に説明される例のうち任意のものが、上記命令は、前記選択されたデバイスプロファイルで構成されたＵＥを、前記ＥＰＣネットワークに対するアクセスを禁止するように構成することを、上記コンピューティングデバイスにさらにさせるところの当該方法をさらに含むことができる。
【０１８４】
例７７は、実行されると例３９乃至７６のうちいずれかに記載の例を実施するコンピュータ読取可能命令を記憶させた少なくとも１つのコンピュータ読取可能記憶媒体である。
【０１８５】
例７８は、例３９乃至７６のうちいずれかに記載の例を実行する手段を含む少なくとも１つの装置である。
【０１８６】
様々な手法、又はその特定の態様若しくは部分が、有形媒体において具現化されたプログラムコード（すなわち、命令）の形式をとることができ、該有形媒体は、例えば、フロッピーディスケット、ＣＤ‐ＲＯＭ、ハードドライブ、非一時的コンピュータ読取可能記憶媒体、又は他のマシン読取可能記憶媒体などであり、プログラムコードがロードされ、コンピュータなどのマシンにより実行されるとき、マシンは、様々な手法を実現する装置になる。プログラマブルコンピュータ上でのプログラムコード実行の場合、コンピューティングデバイスは、プロセッサ、プロセッサにより読取可能な記憶媒体（揮発性及び不揮発性のメモリ及び／又は記憶要素を含む）、少なくとも１つの入力デバイス、及び少なくとも１つの出力デバイスを含むことができる。揮発性及び不揮発性のメモリ及び／又は記憶要素は、ＲＡＭ、ＥＰＲＯＭ、フラッシュドライブ、光学ドライブ、磁気ハードドライブ、又は、電子データを記憶する他の媒体であり得る。ｅＮｏｄｅＢ（又は、他の基地局）及びＵＥ（又は、他の移動局）は、送受信器コンポーネント、カウンタコンポーネント、処理コンポーネント、及び／又はクロックコンポーネント若しくはタイマコンポーネントをさらに含むことができる。本明細書に説明される様々な手法を実装又は利用することができる１つ以上のプログラムが、アプリケーションプログラミングインターフェース（ＡＰＩ）、再利用可能コントロール、及び同様のものを使用することができる。こうしたプログラムは、高水準の手続き型の又はオブジェクト指向型のプログラミング言語において実装されて、コンピュータシステムと通信することができる。しかしながら、プログラムは、所望される場合、アセンブリ又はマシン語において実装されてもよい。いずれの場合も、言語は、コンパイル型又はインタプリタ型言語であり得、ハードウェア実装と組み合わせられてもよい。
【０１８７】
本明細書において説明される機能ユニットの多くが、１つ以上のコンポーネントとして実装されてもよく、コンポーネントは、その実装の独立性をより具体的に強調するのに用いられる用語であることが理解されるべきである。例えば、コンポーネントは、カスタム大規模集積（ＶＬＳＩ）回路又はゲートアレイ、既製の半導体、例えばロジックチップ、トランジスタ、又は他のディスクリートコンポーネントなどを含むハードウェア回路として実装されてもよい。コンポーネントは、さらに、フィールドプログラマブルゲートアレイ、プログラマブルアレイロジック、プログラマブルロジックデバイス、又は同様のものなどのプログラマブルハードウェアデバイスにおいて実装されてもよい。
【０１８８】
コンポーネントは、さらに、様々なタイプのプロセッサによる実行のためにソフトウェアにおいて実装されてもよい。実行可能コードの識別されたコンポーネントが、例えば、コンピュータ命令の１つ以上の物理又は論理ブロックを含むことができ、該コンピュータ命令は、例えば、オブジェクト、プロシージャ、又はファンクションとして編成できる。それにもかかわらず、識別されたコンポーネントの実行ファイルは、物理的に一緒に位置する必要はなく、異なる場所に記憶された異種の命令を含むことができ、該命令は、論理的に一緒に結合されるとコンポーネントを構成し、コンポーネントについて宣言された目的を達成する。
【０１８９】
実際、実行可能コードのコンポーネントは、単一の命令、又は多数の命令であり得、いくつかの異なるコードセグメントにわたって、異なるプログラム間で、及びいくつかのメモリデバイスにわたり分散さえされてもよい。同様に、動作データが、本明細書においてコンポーネント内に識別され、例示されることがあり、任意の適切な形式において具現化され、任意の適切なタイプのデータ構造内に編成されることがある。動作データは、単一のデータセットとして収集されることがあり、あるいは異なる記憶デバイスにわたること含め異なる場所にわたり分散されてもよく、少なくとも部分的に、システム又はネットワーク上で単に電子信号として存在することがある。コンポーネントは、所望の機能を実行するように動作可能なエージェントを含め、パッシブ又はアクティブであり得る。
【０１９０】
本明細書全体を通しての「一例」に対する参照は、例と関連して説明される特定の特徴、構造、又は特性が少なくとも１つの実施形態に含まれることを意味する。ゆえに、本明細書全体を通しての様々な箇所におけるフレーズ「一例において」の出現は、必ずしもすべて同じ実施形態を参照していない。
【０１９１】
本明細書において用いられるとき、複数のアイテム、構造要素、組成要素、及び／又は材料が、簡便さのために共通のリスト内に提示されることがある。しかしながら、これらリストは、リストの各メンバが別個かつ一意のメンバとして個々に識別されるかのようにみなされるべきである。ゆえに、こうしたリストの個々のメンバは、その反対に対する指示なしでの共通グループ内でのその提示に単に基づいて、同じリストの任意の他メンバの事実上の均等物としてみなされるべきではない。さらに、様々な実施形態及び例が、その様々なコンポーネントについて、代替物と共に本明細書において参照されることがある。こうした実施形態、例、及び代替物は、互いの事実上の均等物としてみなされるべきではなく、実施形態の別個かつ自律的な表現としてみなされるべきであることが理解される。
【０１９２】
前述の記載は明りょうさの目的でいくらか詳細に説明されたが、その原理から逸脱することなく特定の変更及び修正が行えることが明らかであろう。本明細書に説明される処理及び装置の双方を実施する多くの代替的方法が存在することが留意されるべきである。したがって、本願実施形態は、制限的でなく例示的とみなされるべきであり、実施形態は、本明細書において与えられる詳細に限定されるべきでなく、別記の請求項の範囲及び均等物の範囲内で修正されることがある。
【図１】
2018520604.tif 000003
【図２】
2018520604.tif 000004
【図３】
2018520604.tif 000005
【図４】
2018520604.tif 000006
【図５】
2018520604.tif 000007
【図６】
2018520604.tif 000008
【図７】
2018520604.tif 000009
【図８】
2018520604.tif 000010
【図９】
2018520604.tif 000011
【国際調査報告】
2018520604.tif 000012
2018520604.tif 000013
2018520604.tif 000014